(57)【特許請求の範囲】
【請求項１】
コンピュータ制御装置を用いて読取られて処理されるデータが、ビデオオブジェクトとオーディオオブジェクトと管理情報とを有し、
前記ビデオオブジェクト（ＶＯＢ）は、ビデオオブジェクトユニット（ＶＯＢＵ）を含み、このビデオオブジェクトユニット（ＶＯＢＵ）は、ビデオパック、オーディオパックを含み、
前記オーディオオブジェクト（ＡＯＢ）は、プログラム（PG）を含み、このプログラム（PG）は複数のセル（Cell）を含み、各セル（Cell）は、データを格納した複数のパックを含み、このパックの中には、オーディオパック及びオーディオとは異なる付加的なデータを含むリアルタイムパック（RTI＿PCK）が定義されており、
前記セルの種類として、データ内容がオーディオ出力を得るタイプであるオーディオセル（A_C）と無音出力データを含むタイプであるサイレントセル（SI_C）とが定義されており、
前記ビデオオブジェクトを管理するビデオ用管理情報は、プログラムチェーン情報を含み、このプログラムチェーン情報は、前記ビデオオブジェクトの再生範囲を指定するセル情報を含み、
前記オーディオオブジェクトを管理するオーディオ用管理情報は、前記オーディオオブジェクトを再生するためのもので、プログラムチェーン情報（ＰＧＣＩ）を有し、このプログラムチェーン情報には、複数のプログラムの各エントリーセルの番号を含むプログラム情報テーブル（ＡＴＳ＿ＰＧＩＴ）と、各プログラムのセルの再生位置を示したセル再生情報テーブル（ＡＴＳ＿Ｃ＿ＰＢＩＴ）とが含まれており、
前記セル再生情報テーブル（ＡＴＳ＿Ｃ＿ＰＢＩＴ）には、前記オーディオセル、サイレントセルのタイプを識別したセルタイプ情報（C_TY）と前記セルのスタート（S_SA）及びエンドアドレス（C_EA）、セルインデックス番号（C_IXN）が含まれ、
さらに、前記オーディオ用管理情報は、前記ビデオオブジェクトに含まれるオーディオパックのストリームを管理するセル情報が含まれていることを特徴とするコンピュータ制御装置で読み取り可能なオーディオ用情報記録媒体。
【請求項２】
オーディオ情報再生装置において、情報記録媒体は、コンピュータ制御装置を用いて読取られて処理されるデータがビデオオブジェクトとオーディオオブジェクトと管理情報とを有し、
前記ビデオオブジェクト（ＶＯＢ）は、ビデオオブジェクトユニット（ＶＯＢＵ）を含み、このビデオオブジェクトユニット（ＶＯＢＵ）は、ビデオパック、オーディオパックを含み、
前記オーディオオブジェクト（ＡＯＢ）は、プログラム（PG）を含み、このプログラム（PG）は複数のセル（Cell）を含み、各セル（Cell）は、データを格納した複数のパックを含み、このパックの中には、オーディオパック及びオーディオとは異なる付加的なデータを含むリアルタイムパック（RTI＿PCK）が定義されており、
前記セルの種類として、データ内容がオーディオ出力を得るタイプであるオーディオセル（A_C）と無音出力データを含むタイプであるサイレントセル（SI_C）とが定義されており、
前記ビデオオブジェクトを管理するビデオ用管理情報は、プログラムチェーン情報を含み、このプログラムチェーン情報は、前記ビデオオブジェクトの再生範囲を指定するセル情報を含み、
前記オーディオオブジェクトを管理するオーディオ用管理情報は、前記オーディオオブジェクトを再生するためのもので、プログラムチェーン情報（ＰＧＣＩ）を有し、このプログラムチェーン情報には、複数のプログラムの各エントリーセルの番号を含むプログラム情報テーブル（ＡＴＳ＿ＰＧＩＴ）と、各プログラムのセルの再生位置を示したセル再生情報テーブル（ＡＴＳ＿Ｃ＿ＰＢＩＴ）とが含まれており、
前記セル再生情報テーブル（ＡＴＳ＿Ｃ＿ＰＢＩＴ）には、前記オーディオセル、サイレントセルのタイプを識別したセルタイプ情報（C_TY）と前記セルのスタート（S_SA）及びエンドアドレス（C_EA）、セルインデックス番号（C_IXN）が含まれ、
さらに、前記オーディオ用管理情報は、前記ビデオオブジェクトに含まれるオーディオパックのストリームを管理するセル情報が含まれるオーディオ用情報記録媒体であり、前記オーディオ情報再生装置は、
前記オーディオ用管理情報を再生する手段と、
前記オーディオオブジェクトを再生する手段とを具備したことを特徴とするオーディオ用情報再生装置。
【請求項３】
オーディオ情報再生装置において、情報記録媒体は、コンピュータ制御装置を用いて読取られて処理されるデータがビデオオブジェクトとオーディオオブジェクトと管理情報とを有し、
前記ビデオオブジェクト（ＶＯＢ）は、ビデオオブジェクトユニット（ＶＯＢＵ）を含み、このビデオオブジェクトユニット（ＶＯＢＵ）は、ビデオパック、オーディオパックを含み、
前記オーディオオブジェクト（ＡＯＢ）は、プログラム（PG）を含み、このプログラム（PG）は複数のセル（Cell）を含み、各セル（Cell）は、データを格納した複数のパックを含み、このパックの中には、オーディオパック及びオーディオとは異なる付加的なデータを含むリアルタイムパック（RTI＿PCK）が定義されており、
前記セルの種類として、データ内容がオーディオ出力を得るタイプであるオーディオセル（A_C）と無音出力データを含むタイプであるサイレントセル（SI_C）とが定義されており、
前記ビデオオブジェクトを管理するビデオ用管理情報は、プログラムチェーン情報を含み、このプログラムチェーン情報は、前記ビデオオブジェクトの再生範囲を指定するセル情報を含み、
前記オーディオオブジェクトを管理するオーディオ用管理情報は、前記オーディオオブジェクトを再生するためのもので、プログラムチェーン情報（ＰＧＣＩ）を有し、このプログラムチェーン情報には、複数のプログラムの各エントリーセルの番号を含むプログラム情報テーブル（ＡＴＳ＿ＰＧＩＴ）と、各プログラムのセルの再生位置を示したセル再生情報テーブル（ＡＴＳ＿Ｃ＿ＰＢＩＴ）とが含まれており、
前記セル再生情報テーブル（ＡＴＳ＿Ｃ＿ＰＢＩＴ）には、前記オーディオセル、サイレントセルのタイプを識別したセルタイプ情報（C_TY）と前記セルのスタート（S_SA）及びエンドアドレス（C_EA）、セルインデックス番号（C_IXN）が含まれ、
さらに、前記オーディオ用管理情報は、前記ビデオオブジェクトに含まれるオーディオパックのストリームを管理するセル情報が含まれるオーディオ用情報記録媒体であり、前記オーディオ情報再生装置は、
前記オーディオ用管理情報を再生する手段と、
前記オーディオオブジェクトを再生する手段とを具備したことを特徴とするオーディオ用情報再生装置。
【発明の詳細な説明】
【０００１】
【発明の属する技術分野】
この発明は、高音質のオーディオデータを処理（記録、再生、伝送、構築）するのにその取り扱いを容易にし、かつ高音質の状態を満足させられるようにしたオーディオ用データ構造その記録媒体及びその信号を処理する装置に関するものである。
【０００２】
【従来の技術】
ビデオ（動画）を高画質・高密度で記録できるとともに、マルチアングル映像・副映像・マルチリンガル音声・多チャンネルオーディオなど種々な情報の記録もできる光ディスクとして、ＤＶＤビデオディスクが開発され、一般市場への普及・浸透が始まっている（ＤＶＤはデジタル・バーサタイル・ディスクの略称）。
【０００３】
このＤＶＤビデオディスクは、圧縮多チャネルオーディオ（ＡＣー３、      ＭＰＥＧ等）とともに非圧縮リニアＰＣＭ（４８ｋＨｚサンプリング・１６ビット量子化から９６ｋＨｚサンプリング・２４ビットまで）もサポートできる仕様となっている。このＤＶＤビデオのリニアＰＣＭは従来の音楽                ＣＤ（４４．１ｋＨｚサンプリング・１６ビット量子化）を上回るハイサンプリング・ハイビットの高音質仕様であり、とくに９６ｋＨｚサンプリング・２０〜２４ビットのリニアＰＣＭは、次世代デジタルオーディオディスク（俗にスーパーＣＤまたはスーパーオーディオディスクといわれるもの）としての資格を十分備えている。
【０００４】
しかしながら、ＤＶＤビデオの仕様はどちらかといえばオーディオよりも映像優先で作成されており、サンプリング周波数・量子化ビット数のみならず記録可能なチャネル数や記録可能時間等に関して、ＤＶＤビデオの音声仕様をさらに上回るオーディオ優先の仕様も期待されている。
【０００５】
上記期待に答える形で、ＤＶＤオーディオ仕様が検討されるに至った（ただし、このＤＶＤオーディオ仕様はまだ従来技術ではない）。このＤＶＤオーディオ仕様では、ＤＶＤビデオで採用されている４８Ｋ〜９６ｋＨｚサンプリング・  １６〜２４ビットのリニアＰＣＭは当然として、１９２ｋＨｚサンプリング・  ２４ビットのリニアＰＣＭまでサポート可能なことが考えられている。また、  ＤＶＤオーディオ仕様の将来のバージョンアップにおいて、さらに高音質仕様が導入される可能性も残している。
【０００６】
このようにＤＶＤオーディオが将来的なスケールアップに対応できるのは、デジタルハイビジョン映像までターゲットに入っている大容量記録が可能な      ＤＶＤビデオと共通利用できる部分が、ＤＶＤオーディオにあるからである。
【０００７】
また、ＤＶＤオーディオは、ＤＶＤビデオの進化に伴い利用可能になる将来の技術的・市場的・経済的アドバンテージを享受できる特徴を持っている。
【０００８】
たとえば、ＤＶＤビデオで今後実用化される大容量ＤＶＤディスクをＤＶＤオーディオに利用することにより、記録時間を一定とすれば、記録に用いるサンプリング周波数・量子化ビット数・記録チャネル数等をどんどん増やして行ける可能性を持っている。近い将来実用化されるＤＶＤ−ＲＡＭ（または書換可能な  ＤＶＤ−ＲＷあるいはライトワンスのＤＶＤ−Ｒ）を用いたＤＶＤビデオレコーダの技術は、いずれ実用化されるであろうＤＶＤオーディオレコーダにも利用可能となる。
【０００９】
さらに、ＤＶＤビデオの普及によりその市場規模が広がれば、ＤＶＤビデオとＤＶＤオーディオとの間で、媒体（ＤＶＤ−ＲＯＭディスク、ＤＶＤ−        ＲＡＭ／ＤＶＤ−ＲＷディスク、ＤＶＤ−Ｒディスクなど）、装置部品（ディスクドライブ、光ピックアップ、各種ＩＣなど）、各種制御プログラムその他の共通化が進み、高音質で多くの特徴を持つＤＶＤオーディオの製品コストダウンも加速される。そして、ＤＶＤオーディオが広く普及すれば、ＤＶＤビデオも、  ＤＶＤオーディオの進化に伴い利用可能になる将来の技術的・市場的・経済的アドバンテージを享受できるようになる。
【００１０】
【発明が解決しようとする課題】
上記したように、ＤＶＤオーディオの開発が期待されているが、上記した    ＤＶＤビデオに見られるように、高密度記録が可能なディスクが開発された結果、高密度記録が可能な故に、各種の機能や性能を任意に盛り込んだＤＶＤオーディオが提案開発されることが予想される。つまり、ＤＶＤオーディオに関してはサンプリング周波数・量子化ビット数・チャンネル数などの性能面で、異なるデータ構造のものが制作される可能性があり、また、メニュー映像を含むものや、含まないもの、背景映像を含むものや含まないものなど機能面で、異なるデータ構造のものが制作される可能性がある。
【００１１】
上記のような各種のデータが記録された場合、当然ユーザにとっては、目的のプログラムやトラックを容易にサーチできること、また、現在の再生中のトラックの時間情報や、アドレス情報を認識しやすくすることが要求される。
【００１２】
そこでこの発明の目的とするところは、再生装置およびその使用者が、様々な種類の再生動作を行うのに十分な時間情報及び管理情報を得ることができ、再生装置の使い勝手を向上したオーディオデータ構造とその記録媒体及び再生装置を提供することにある。。
【００１３】
【課題を解決するための手段】
この発明は、コンピュータ制御装置を用いて読取られて処理されるデータが、ビデオオブジェクトとオーディオオブジェクトと管理情報とを有し、前記ビデオオブジェクト（ＶＯＢ）は、ビデオオブジェクトユニット（ＶＯＢＵ）を含み、このビデオオブジェクトユニット（ＶＯＢＵ）は、ビデオパック、オーディオパックを含み、前記オーディオオブジェクト（ＡＯＢ）は、プログラム（PG）を含み、このプログラム（PG）は複数のセル（Cell）を含み、各セル（Cell）は、データを格納した複数のパックを含み、このパックの中には、オーディオパック及びオーディオとは異なる付加的なデータを含むリアルタイムパック（RTI＿PCK）が定義されており、前記セルの種類として、データ内容がオーディオ出力を得るタイプであるオーディオセル（A_C）と無音出力データを含むタイプであるサイレントセル（SI_C）とが定義されており、前記ビデオオブジェクトを管理するビデオ用管理情報は、プログラムチェーン情報を含み、このプログラムチェーン情報は、前記ビデオオブジェクトの再生範囲を指定するセル情報を含み、前記オーディオオブジェクトを管理するオーディオ用管理情報は、前記オーディオオブジェクトを再生するためのもので、プログラムチェーン情報（ＰＧＣＩ）を有し、このプログラムチェーン情報には、複数のプログラムの各エントリーセルの番号を含むプログラム情報テーブル（ＡＴＳ＿ＰＧＩＴ）と、各プログラムのセルの再生位置を示したセル再生情報テーブル（ＡＴＳ＿Ｃ＿ＰＢＩＴ）とが含まれており、前記セル再生情報テーブル（ＡＴＳ＿Ｃ＿ＰＢＩＴ）には、前記オーディオセル、サイレントセルのタイプを識別したセルタイプ情報（C_TY）と前記セルのスタート（S_SA）及びエンドアドレス（C_EA）、セルインデックス番号（C_IXN）が含まれ、さらに、前記オーディオ用管理情報は、前記ビデオオブジェクトに含まれるオーディオパックのストリームを管理するセル情報が含まれていることを基本とするものである。
【００１４】
【発明の実施の形態】
以下、この発明の実施の形態を図面を参照して説明する。
【００１５】
この発明は、高音質のオーディオデータを処理（記録、再生、伝送、構築）するのにその取り扱いを容易にし、かつ高音質の状態を満足させられるようにしたオーディオ用データ構造その記録媒体及び処理装置及び方法に関する。
【００１６】
実施の形態では、複数のコンテンツ（種々のビデオコンテンツ、種々のオーディオコンテンツ等）のオブジェクトを共有化するシステムに適用された場合を説明する。また、複数コンテンツのオブジェクトを共有化するための管理データを持つ情報媒体、この媒体から記録情報を再生する装置、この媒体に前記管理データを含む情報を記録する方法、およびこの媒体から前記管理データに基づき情報を再生する方法に適用された場合を例として説明する。
【００１７】
図１は、ＤＶＤオーディオの記録媒体として利用可能な光ディスクの構造を説明する斜視図である。
【００１８】
図１に示すように、この光ディスク１０は、それぞれ記録層１７が設けられた一対の透明基板１４を接着層２０で貼り合わせた構造を持つ。各基板１４は    ０．６ｍｍ厚のポリカーボネートで構成することができ、接着層２０は極薄（たとえば４０μｍ厚）の紫外線硬化性樹脂で構成することができる。これら一対の０．６ｍｍ基板１４を、記録層１７が接着層２０の面上で接触するようにして貼り合わすことにより、１. ２ｍｍ厚の大容量光ディスク１０が得られる。
【００１９】
光ディスク１０には中心孔２２が設けられており、ディスク両面の中心孔    ２２の周囲には、この光ディスク１０を回転駆動時にクランプするためのクランプエリア２４が設けられている。中心孔２２には、図示しないディスクドライブ装置に光ディスク１０が装填された際に、ディスクモータのスピンドルが挿入される。そして、光ディスク１０は、そのクランプエリア２４において、図示しないディスククランパにより、ディスク回転中クランプされる。
【００２０】
光ディスク１０は、クランプエリア２４の周囲に、ビデオデータ、オーディオデータその他の情報を記録することができる情報エリア２５を有している。
【００２１】
情報エリア２５のうち、その外周側にはリードアウトエリア２６が設けられている。また、クランプエリア２４に接する内周側にはリードインエリア２７が設けられている。そして、リードアウトエリア２６とリードインエリア２７との間にデータ記録エリア２８が定められている。
【００２２】
情報エリア２５の記録層（光反射層）１７には、記録トラックがたとえばスパイラル状に連続して形成されている。その連続トラックは複数の物理セクタに分割され、これらのセクタには連続番号が付されている。このセクタを記録単位として、光ディスク１０に種々なデータが記録される。
【００２３】
データ記録エリア２８は、実際のデータ記録領域であって、ＤＶＤオーディオデータの記録領域およびＤＶＤビデオデータの記録領域を含んでいる。（ピュアオーディオディスクの場合はＤＶＤビデオデータ記録領域は使用されないことがある。）
ＤＶＤオーディオデータの記録領域には、記録・再生情報として、主にオーディオデータが、ピット列（レーザ反射光に光学的な変化をもたらす物理的な形状あるいは相状態）として記録されている。場合によっては、このＤＶＤオーディオデータ記録領域に、スチル画データが記録されることもある。また、この    ＤＶＤオーディオデータ記録領域に記録されるオーディオデータは、通常の音楽データの他に、全くの無音データ（音楽としての無音部分ではなく意図的に音を出さないデータ）を含むことができる。
【００２４】
一方、ＤＶＤビデオデータの記録領域には、記録・再生情報として、映画等のビデオデータ（主映像データ）、字幕・メニュー等の副映像データおよび台詞・効果音等のオーディオデータが、同様なピット列で記録されている。
【００２５】
なお、光ディスク１０が片面１層で両面記録のＤＶＤ−ＲＡＭディスク（またはリライタブルディスク；ＤＶＤ−ＲＷディスク）の場合は、各記録層１７は、２つの硫化亜鉛・酸化シリコン混合物（ＺｎＳ・ＳｉＯ２）で相変化記録材料層（たとえばＧｅ２Ｓｂ２Ｔｅ５）を挟み込んだ３重層により構成できる。
【００２６】
光ディスク１０が片面１層で片面記録のＲＡＭディスクの場合は、読み出し面１９側の記録層１７は、上記相変化記録材料層を含む３重層により構成できる。この場合、読み出し面１９から見て反対側に配置される層１７は情報記録層である必要はなく、単なるダミー層でよい。
【００２７】
光ディスク１０が片面読み取り型の２層ＲＡＭ／ＲＯＭディスクの場合は、  ２つの記録層１７は、１つの相変化記録層（読み出し面１９からみて奥側；読み書き用）と１つの半透明金属反射層（読み出し面１９からみて手前側；再生専用）で構成できる。
【００２８】
光ディスク１０がライトワンスのＤＶＤ−Ｒである場合は、基板としてはポリカーボネートが用いられ、、図示しない反射膜としては金、図示しない保護膜としては紫外線硬化樹脂を用いることができる。この場合、記録層１７には有機色素が用いられる。この有機色素としては、シアニン、スクアリリウム、クロコニック、トリフェニルメンタン系色素、キサンテン、キノン系色素（ナフトキン、アントラキノン等）、金属錯体系色素（フタロシアン、ボルフィリン、ジチオール錯体等）その他が利用可能である。
【００２９】
このようなＤＶＤ−Ｒディスクへのデータ書き込みは、たとえば波長        ６５０ｎｍで出力６〜１２ｍＷ程度の半導体レーザを用いて行うことができる。
【００３０】
光ディスク１０が片面読み取り型の２層ＲＯＭディスクの場合は、２つの記録層１７は、１つの金属反射層（読み出し面１９からみて奥側）と１つの半透明金属反射層（読み出し面１９からみて手前側）で構成できる。
【００３１】
読み出し専用のＤＶＤ−ＲＯＭディスク（ＤＶＤオーディオおよび／または  ＤＶＤビデオ用）１０では、基板１４にピット列が予めスタンパーで形成され、このピット列が形成された基板１４の面に金属等の反射層が形成され、この反射層が記録層１７として使用されることになる。このようなＤＶＤ−ＲＯＭディスク１０では、通常、記録トラックとしてのグルーブは特に設けられず、基板    １４の面に形成されたピット列がトラックとして機能するようになっている。
【００３２】
上記各種の光ディスク１０において、再生専用のＲＯＭ情報はエンボス信号として記録層１７に記録される。これに対して、読み書き用（またはライトワンス用）の記録層１７を持つ基板１４にはこのようなエンボス信号は刻まれておらず、その代わりに連続のグルーブ溝が刻まれている。このグルーブ溝に、相変化記録層等が設けられるようになっている。読み書き用ＤＶＤ−ＲＡＭディスクの場合は、さらに、グルーブの他にランド部分の相変化記録層も情報記録に利用される。
【００３３】
なお、光ディスク１０が片面読み取りタイプ（記録層が１層でも２層でも）の場合は、読み出し面１９から見て裏側の基板１４は読み書き用レーザに対して透明である必要はない。この場合は裏側基板１４全面にラベル印刷がされていてもよい。
【００３４】
図２は、図１の光ディスク１０のデータ記録エリア２８とそこに記録されるデータの記録トラックとの対応関係を説明する図である。
【００３５】
ディスク１０がＤＶＤ−ＲＡＭ（またはＤＶＤ−ＲＷ）の場合は、デリケートなディスク面を保護するために、ディスク１０の本体が図示しないカートリッジに収納されるようになっている。ＤＶＤ−ＲＡＭディスク１０がカートリッジごと後述するＤＶＤプレーヤ（図２９〜図３０）のディスクドライブに挿入されると、カートリッジからディスク１０が引き出されて図示しないスピンドルモータのターンテーブルにクランプされ、図示しない光ヘッドに向き合うようにして回転駆動される。
【００３６】
一方、ディスク１０がＤＶＤ−ＲまたはＤＶＤ−ＲＯＭの場合は、ディスク  １０の本体はカートリッジに収納されておらず、裸のディスク１０がディスクドライブのディスクトレイに直接セットされるようになる。
【００３７】
図１に示した情報エリア２５の記録層１７には、データ記録トラックがスパイラル状に連続して形成されている。その連続するトラックは、図２に示すように一定記憶容量の複数論理セクタ（最小記録単位）に分割され、この論理セクタを基準にデータが記録されている。１つの論理セクタの記録容量は、１パックのデータ長と同じ２０４８バイト（あるいは２ｋバイト）に決められている。
【００３８】
データ記録エリア２８には、実際のデータ記録領域であって、ＤＶＤオーディオ用に管理データおよび音声データが記録され、ＤＶＤビデオ用に管理データ、主映像（ビデオ）データ、副映像データおよび音声データが同様に記録されている。
【００３９】
なお、図示はしないが、図２のディスク１０がＤＶＤ−ＲＡＭディスクの場合、そのデータ記録エリア２８を、リング状（年輪状）に複数の記録エリア（複数の記録ゾーン）に分割することができる。この場合、各記録ゾーン毎にディスク回転の角速度は異なるが、各ゾーン内では線速度または角速度を一定にすることができる。図２のディスク１０がＤＶＤ−ＲＯＭディスクの場合は、データ記録エリア２８の全域に種々なデータが線速度一定で記録される。
【００４０】
図３は、図２の光ディスクに記録される種々な情報のうち、ＤＶＤオーディオゾーンに記録される情報の階層構造を説明する図である。
【００４１】
図３において、先の光ディスク１０に形成されたデータ記録エリア２８は、図に示すような構造を有している。この構造の論理フォーマットは、たとえば標準規格の１つであるＩＳＯ９６６０およびユニバーサルディスクフォーマット    （ＵＤＦ）ブリッジに準拠して定められている。
【００４２】
リードインエリア２７からリードアウトエリア２６までの間のデータ記録エリア２８は、ボリュームスペース２８として割り当てられる。このボリュームスペース２８は、ボリュームおよびファイル構造の情報のための空間（ボリューム  ／ファイル構造７０）と、ＤＶＤ規格のアプリケーションのための空間        （ＤＶＤオーディオゾーン７１およびＤＶＤビデオゾーン７２）と、この規格のアプリケーション以外のための空間（他記録エリア７３）を含むことができる。
【００４３】
ボリュームスペース２８は、多数のセクタに物理的に分割され、それらの物理的セクタには連続番号が付されている。このボリュームスペース２８に記録されるデータの論理アドレスは、ＩＳＯ９６６０およびＵＤＦブリッジで定められるように、論理セクタ番号を意味している。ここでの論理セクタサイズは、物理セクタの有効データサイズと同様に、２０４８バイト（２ｋバイト）としてある。論理セクタ番号は、物理セクタ番号の昇順に対応して連続番号が付加されている。
【００４４】
なお、論理セクタと異なり、物理セクタにはエラー訂正情報等の冗長な情報が付加されている。このため、物理セクタサイズは、正確に言うと論理セクタサイズと一致しない。
【００４５】
図３に示すように、ボリュームスペース２８は、ボリューム／ファイル構造領域７０、ＤＶＤオーディオゾーン７１、ＤＶＤビデオゾーン７２および他の記録領域７３を含んでいる。これらの各領域（７０〜７３）は、図２の論理セクタの境界上で区分されている。ここで、１論理セクタは２０４８バイトと定義され、１論理ブロックも２０４８バイトと定義される。したがって、１論理セクタは  １論理ブロックと対等に定義される。
【００４６】
ボリューム／ファイル構造領域７０は、ＩＳＯ９６６０およびＵＤＦブリッジに定められる管理領域に相当する。この領域７０の記述に基づいて、オーディオマネージャ（ＡＭＧ）７１１の内容が、後述するＤＶＤプレーヤ（図２９）内部のシステムメモリに格納される。
【００４７】
ＤＶＤオーディオゾーン７１は、オーディオマネージャ（ＡＭＧ）７１１および１以上のオーディオタイトルセット（ＡＴＳ＃ｍ）７１２から構成される（オーディオタイトルセットの数ｍは最大９９）。
【００４８】
ＡＭＧ７１１は、オーディオマネージャ情報（ＡＭＧＩ）ファイル７１１０と、オーディオマネージャメニュー用ビデオオブジェクトセット（ＡＭＧＭ＿    ＶＯＢＳ）ファイル７１１１とオーディオマネージャ情報バックアップ        （ＡＭＧＩ＿ＢＵＰ）ファイル７１１２とで構成される。なお、ＡＭＧＭ＿    ＶＯＢＳ７１１１はオプションのファイルであり、無い場合もある。
【００４９】
各ＡＴＳ７１２は、オーディオタイトルセット情報（ＡＴＳＩ）ファイル    ７１２０と、オーディオ・オンリータイトルのオーディオオブジェクトセット  （ＡＯＴＴ＿ＡＯＢＳ）ファイル７１２１と、オーディオタイトルセット情報バックアップ（ＡＴＳＩ＿ＢＵＰ）ファイル７１２３とで構成される。なお、    ＡＯＴＴ＿ＡＯＢＳ７１２１は１ないし９ファイルで構成されるが、これらはオプションのファイルであり、無い場合もある。
【００５０】
ここで図６を先に参照してＡＯＴＴ＿ＡＯＢＳ７１２１を説明する。後でも説明するが、ＡＯＴＴ＿ＡＯＢＳ７１２１は、１以上のオーディオオブジェクト  ＡＯＢの集まりを定義している。各ＡＯＢは１以上のオーディオタイトルセット・セル（ＡＴＳ＿Ｃ＃）の集まりを定義している。そして、１以上のセルの集まりによってオーディオタイトルセットのプログラムが構成され、１以上のプログラムの集まりによってオーディオタイトルセットのプログラムチェーンＰＧＣが構成される。
【００５１】
図３に戻る。図３ではＡＯＴＴ＿ＡＯＢＳ７１２１の構成を、直接ＡＴＳ＿  Ｃ＃の集まりのレベルで示している。ＰＧＣは、ＡＴＳ内のプログラムチェーン情報により表現されている。
【００５２】
１つのＰＧＣを１本のオペラに例えれば、このＰＧＣを構成する複数のセルはそのオペラ中の種々なシーンの音楽あるいは歌唱部分に対応すると解釈可能である。このＰＧＣの中身（あるいはセルの中身）は、ディスク１０に記録される内容を制作するソフトウエアプロバイダにより決定される。すなわち、プロバイダは、ＡＴＳ内のプログラムチェーン情報ＡＴＳ＿ＰＧＣＩに書き込まれたセル再生情報ＡＴＳ＿Ｃ＿ＰＢＩを用いて、ＡＯＴＴ＿ＡＯＢＳ７１２１を構成するセルを意図通りに再生させることができる。（ＡＴＳ＿ＰＧＣＩおよびＡＴＳ＿  Ｃ＿ＰＢＩについては、図２４〜図２８を参照して後述する。）
他の記録エリア７３には、上述したビデオタイトルセットＶＴＳ７２で利用可能な情報、あるいはビデオタイトルセットとは関係ない他の情報を記録することができる。このエリア７３は必須ではなく使用しないなら削除されてもよい。
【００５３】
図４は、図２の光ディスクに記録される種々な情報のうち、ＤＶＤビデオゾーンに記録される情報の階層構造を説明する図である。以下、図３で説明済みの部分の説明は省略し、ＤＶＤビデオゾーン７２に関する部分の説明を行なう。
【００５４】
ボリューム／ファイル構造領域７０の記述に基づいて、ビデオマネージャ    ７２１の内容が、後述するＤＶＤプレーヤ（図２９）内部のシステムメモリに格納される。
【００５５】
ＤＶＤビデオゾーン７２は、ビデオマネージャ（ＶＭＧ）７２１および１以上のビデオタイトルセット（ＶＴＳ＃ｎ）７２２から構成される（ビデオタイトルセットの数ｎは最大９９）。
【００５６】
ＶＭＧ７２１は、ビデオマネージャ情報（ＶＭＧＩ）ファイル７２１０と、ビデオマネージャメニュー用ビデオオブジェクトセット（ＶＭＧＭ＿ＶＯＢＳ）ファイル７２１１とビデオマネージャ情報バックアップ（ＶＭＧＩ＿ＢＵＰ）ファイル７２１２とで構成される。なお、ＶＭＧＭ＿ＶＯＢＳ７２１１はオプションのファイルであり、無い場合もある。
【００５７】
各ＶＴＳ７２２は、ビデオタイトルセット情報（ＶＴＳＩ）ファイル        ７２２０と、ビデオタイトルセットメニュー用ビデオオブジェクトセット      （ＶＴＳＭ＿ＶＯＢＳ）ファイル７２２１と、ビデオタイトルセットタイトルのビデオオブジェクトセット（ＶＴＳＴＴ＿ＶＯＢＳ）ファイル７２２２と、ビデオタイトルセット情報バックアップ（ＶＴＳＩ＿ＢＵＰ）ファイル７２２３とで構成される。なお、ＶＴＳＭ＿ＶＯＢＳ７２２１はオプションのファイルであり、無い場合もある。
【００５８】
各ビデオタイトルセットＶＴＳ７２には、ＭＰＥＧ規格により圧縮されたビデオデータ（後述するビデオパック）、所定規格により圧縮されあるいは非圧縮のオーディオデータ（後述するオーディオパック）、およびランレングス圧縮された副映像データ（後述する副映像パック；１画素が複数ビットで定義されたビットマップデータを含む）とともに、これらのデータを再生するための情報（後述するナビゲーションパック；プレゼンテーション制御情報およびデータサーチ情報を含む）が格納されている。
【００５９】
ここで図８を参照して先にＶＴＳＴＴ＿ＶＯＢＳ７２２２を説明する。後でも説明するが、ＶＴＳＴＴ＿ＶＯＢＳ７２２２は、１以上のビデオオブジェクト  ＶＯＢの集まりを定義している。各ＶＯＢは１以上のビデオタイトルセット・セル（ＶＴＳ＿Ｃ＃ｎ）の集まりを定義している。ＶＴＳ＿Ｃ＃ｎは１以上のビデオオブジェクトユニット（ＶＯＢＵ）で構成され、ＶＯＢＵにはナビゲーションパック、ビデオパック、オーディオパック、副映像パックを含ませることができる。そして、１以上のビデオタイトルセルの集まりによってビデオタイトルセットのプログラムが構成され、１以上のプログラムの集まりによってビデオタイトルセットのプログラムチェーンＰＧＣが構成される。
【００６０】
図４に戻る。図４ではプログラムチェーンとビデオタイトルセットセル      （ＶＴＳ＿Ｃ＃ｎ）の関係を示している。
【００６１】
１つのＰＧＣを１本のドラマに例えれば、このＰＧＣを構成する複数のセルはそのドラマ中の種々なシーンに対応すると解釈可能である。このＰＧＣの中身  （あるいはセルの中身）は、ディスク１０に記録される内容を制作するソフトウエアプロバイダにより決定される。すなわち、図３で説明したＡＴＳ＿        ＰＧＣＩの場合と同様に、プロバイダは、ＶＴＳ内のプログラムチェーン情報  ＶＴＳ＿ＰＧＣＩに書き込まれたセル再生情報（図示せず）を用いて、        ＶＴＳＴＴ＿ＶＯＢＳ７２２２を構成するセルを意図通りに再生させることができる。
【００６２】
図５は、図３のＤＶＤオーディオゾーンのプログラムチェーン情報ＡＴＳ＿  ＰＧＣＩおよび図４のＤＶＤビデオゾーンのプログラムチェーン情報ＶＴＳ＿  ＰＧＣＩの双方から、特定のビデオ情報（ＶＴＳ＿Ｃ＃２、ＶＴＳ＿Ｃ＃３、  ＶＴＳ＿Ｃ＃５）が、共通に（しかし異なる方法で）アクセスされる場合を説明する図である。換言すれば、図５は、同一のビデオオブジェクトＶＯＢがオーディオ側の再生ユニットおよびビデオ側の再生ユニットから異なる方法で参照される場合を例示している。
【００６３】
すなわち、ビデオタイトルセット側からビデオ再生を行なう場合、ＶＴＳ＿  ＰＧＣＩ内のセル再生情報（図示せず）により、ＶＯＢのセルＶＴＳ＿Ｃ＃１〜ＶＴＳ＿Ｃ＃６が順に再生される。
【００６４】
一方、オーディオタイトルセット側からビデオ再生（あるいはスチル再生）を行なう場合、ＡＴＳ＿ＰＧＣＩ内のセル再生情報（図２８）により、ＶＯＢのセルＶＴＳ＿Ｃ＃２、ＶＴＳ＿Ｃ＃３およびＶＴＳ＿Ｃ＃５が選択的に再生される。
【００６５】
この場合、同じディスク１０内でＡＴＳおよびＶＴＳが同じセルデータ      （ＶＴＳ＿Ｃ＃２、ＶＴＳ＿Ｃ＃３、ＶＴＳ＿Ｃ＃５）を別々に持つ必要がないので、ディスク１０の限られた容量を有効利用できるようになる。
【００６６】
図６は、図３のＤＶＤオーディオゾーンの記録内容（ＡＯＴＴ＿ＡＯＢＳ）のデータ構造の一例を示す。
【００６７】
図３を参照して説明したＡＯＴＴ＿ＡＯＢＳ７１２１は、図６に示すように、１以上のオーディオオブジェクトＡＯＴＴ＿ＡＯＢ＃の集まりを定義している。各ＡＯＴＴ＿ＡＯＢは１以上のオーディオセルＡＴＳ＿Ｃ＃の集まりを定義している。そして、１以上のセルＡＴＳ＿Ｃ＃の集まりによってプログラムが構成され、１以上のプログラムの集まりによってプログラムチェーンＰＧＣが構成される。このＰＧＣは、オーディオタイトルの全体あるいは一部を差し示す論理的なユニットを構成する。
【００６８】
図６の例では、各オーディオセルＡＴＳ＿Ｃ＃が２０４８バイトサイズのオーディオパックＡ＿ＰＣＫの集合で構成されている。これらのパックは、データ転送処理を行う際の最小単位となる。また、論理上の処理を行う最小単位はセル単位であり、論理上の処理はこのセル単位で行なわれる。
【００６９】
図７は、図３のＤＶＤオーディオゾーンの記録内容（ＡＯＴＴ＿ＡＯＢＳ）のデータ構造の他例を示す。図７の例は、セルおよびパックの構成が、図６の場合と異なっている。
【００７０】
すなわち、図７のオーディオオブジェクトＡＯＴＴ＿ＡＯＢ＃１は、ピクチャセルＡＴＳ＿Ｃ＃１、サイレントセルＡＴＳ＿Ｃ＃２、オーディオセルＡＴＳ＿Ｃ＃３等を含んでいる。次のＡＯＴＴ＿ＡＯＢ＃２は、図示しないが、オーディオセルＡＴＳ＿Ｃだけで構成されてもよい。メインとなるのはオーディオセルであるが、それに適宜ピクチャセルおよび／またはサイレントセルが追加されるようになっている。
【００７１】
ピクチャセルＡＴＳ＿Ｃ＃１は１以上のスチル画パックＳＰＣＴ＿ＰＣＫにより構成され、サイレントセルＡＴＳ＿Ｃ＃２は１以上の無音オーディオパック  Ａ＿ＰＣＫにより構成される。このサイレントセルの再生時間は、約０．５秒以上に設定される。オーディオセルＡＴＳ＿Ｃ＃３は、リアルタイム情報を持つリアルタイム情報パックＲＴＬ＿ＰＣＫを適宜含んで、オーディオパックＡ＿    ＰＣＫにより構成される。
【００７２】
ＤＶＤオーディオプレーヤの再生動作中に上記スチル画パックＳＰＣＴ＿    ＰＣＫのデータ転送が行われると、その転送期間中、短時間（約０．５秒〜    ０．６秒）の音切れが生じる。この音切れをオーディオギャップという。オーディオギャップが音楽再生の途中で生じるとまずいので、上記スチル画パック    ＳＰＣＴ＿ＰＣＫのデータ転送は、通常は、図９のアルバム再生の開始前、特定グループ再生の開始前、あるいは特定トラックの開始前に行われる。
【００７３】
なお、ＤＶＤオーディオプレーヤ内部でスチル画パックＳＰＣＴ＿ＰＣＫの転送を一旦し終えてしまえば、このＳＰＣＴ＿ＰＣＫの内容に相当するスチル画はプレーヤ内の画像メモリに保持される。このメモリ内のスチル画は、オーディオパックＡ＿ＰＣＫの内容（音楽等）の再生中、連続的に再生できる（ただしユーザが希望すればいつでもスチル画をモニタから消去することは可能）。
【００７４】
図８は、図４のＤＶＤビデオゾーンの記録内容（ＶＴＳＴＴ＿ＶＯＢＳ）のデータ構造の一例示す。
【００７５】
図４を参照して説明したＶＴＳＴＴ＿ＶＯＢＳ７２２２は、図８に示すように、１以上のビデオオブジェクトＶＯＢ＃の集まりを定義している。各ＶＯＢは  １以上のビデオセルＶＴＳ＿Ｃ＃の集まりを定義している。各ＶＴＳ＿Ｃは１以上のビデオオブジェクトユニットＶＯＢＵの集まりを定義している。そして、  １以上のセルＶＴＳ＿Ｃ＃の集まりによってプログラムが構成され、１以上のプログラムの集まりによってプログラムチェーンＰＧＣが構成される。この      ＰＧＣは、ビデオタイトルあるいはビジュアルメニューの全体あるいは一部を差し示す論理的なユニットを構成する。
【００７６】
図８に示すように、各ＶＯＢＵは、ナビゲーションパックを先頭として、ビデオパック（ＭＰＥＧ圧縮された動画データ）、副映像パック（ランレングス圧縮されたビットマップデータ）、およびオーディオパック（非圧縮リニアＰＣＭオーディオデータまたは圧縮された多チャネルオーディオデータ）の集合体（パック列）として構成されている。すなわち、ビデオオブジェクトユニット        ＶＯＢＵは、あるナビゲーションパックから次のナビゲーションパックの直前まで記録される全パックの集まりとして定義される。このナビゲーションパックは、アングル変更（シームレスアングル変更再生またはノンシームレスアングル変更再生）を実現できるように、各ＶＯＢＵ中に組み込まれている。
【００７７】
これらのパックは、図６または図７の場合と同様に、データ転送処理を行う際の最小単位となる。また、論理上の処理を行う最小単位はセル単位であり、論理上の処理はこのセル単位で行わる。
【００７８】
上記ＶＯＢＵの再生時間は、そのＶＯＢＵ中に含まれる１以上の映像グループ（グループオブピクチャー；略してＧＯＰ）で構成されるビデオデータの再生時間に相当し、その再生時間は０．４秒〜１．２秒の範囲内に定められる。      １ＧＯＰは、ＭＰＥＧ規格では通常約０．５秒であって、その間に１５枚程度の画像を再生するように圧縮された画面データである。
【００７９】
ＶＯＢＵがビデオデータを含む場合には、ビデオパック、副映像パックおよびオーディオパックから構成されるＧＯＰ（ＭＰＥＧ規格準拠）が配列されてビデオデータストリームが構成される。しかし、このＧＯＰの数とは無関係に、    ＧＯＰの再生時間を基準にしてＶＯＢＵが定められ、その先頭に、常にナビゲーションパックが配置される。
【００８０】
なお、ＤＶＤビデオの再生にあたっては、オーディオおよび／または副映像データのみの再生データであってもＶＯＢＵを１単位として再生データが構成される。たとえば、ナビゲーションパックを先頭としてオーディオパックのみで    ＶＯＢＵが構成されている場合を想定してみる。この場合、ビデオデータの    ＶＯＢＵと同様に、そのオーディオデータが属するＶＯＢＵの再生時間内      （０．４秒〜１．２秒）に再生されるべきオーディオパックが、そのＶＯＢＵに格納される。
【００８１】
図８に示すように、ＶＴＳＴＴ＿ＶＯＢＳは１以上のＶＯＢの集合として定義され、このＶＯＢＳ中のＶＯＢは同一用途に用いられる。
【００８２】
メニュー用のＶＯＢＳは、通常、１つのＶＯＢで構成され、そこには複数のメニュー画面表示用データが格納される。これに対して、ビデオタイトルセット用のＶＯＢＳは、通常、複数のＶＯＢで構成される。
【００８３】
ここで、タイトルセット用ビデオオブジェクトセットＶＴＳＴＴ＿ＶＯＢＳを構成するＶＯＢは、あるロックバンドのコンサートビデオを例にとれば、そのバンドの演奏の映像データに相当すると考えることができる。この場合、ある    ＶＯＢを指定することによって、そのバンドのコンサート演奏曲目のたとえば  ３曲目を再生することができる。
【００８４】
また、メニュー用ビデオオブジェクトセットＶＴＳＭ＿ＶＯＢＳを構成する  ＶＯＢには、そのバンドのコンサート演奏曲目全曲のメニューデータが格納され、そのメニューの表示にしたがって、特定の曲、たとえばアンコール演奏曲目を再生することができる。
【００８５】
なお、通常のビデオプログラムでは、１つのＶＯＢで１つのＶＯＢＳを構成することができる。この場合、１本のビデオストリームが１つのＶＯＢで完結することとなる。
【００８６】
一方、たとえば複数ストーリのアニメーション集あるいはオムニバス形式の映画では、１つのＶＯＢＳ中に各ストーリに対応して複数のビデオストリーム（複数のプログラムチェーンＰＧＣ）を設けることができる。この場合は、各ビデオストリームが対応するＶＯＢに格納されることになる。その際、各ビデオストリームに関連したオーディオストリームおよび副映像ストリームも各ＶＯＢ中で完結する。
【００８７】
ビデオオブジェクトＶＯＢには識別番号（＃ｉ；ｉ＝０〜ｉ）が付されており、この識別番号によってそのＶＯＢを特定することができる。ＶＯＢは、１または複数のセルで構成されている。通常のビデオストリームは複数のセルで構成されるが、メニュー用のビデオストリームは１つのセルで構成される場合もある。各セルには、ＶＯＢの場合と同様に識別番号（＃ｊ；ｊ＝０〜ｊ）が付されている。
【００８８】
図９は、ユーザアクセス可能なＤＶＤオーディオゾーン７１の記録内容であって、図１の光ディスクの片面（１層または２層）に記録されるデータ構造の一例を示す。
【００８９】
ＤＶＤオーディオでは、ソフトウエア制作サイドからみた記録内容の管理構造として、アルバム、グループ、トラック、およびインデックスからなる階層構造を用意している。
【００９０】
アルバムはＤＶＤオーディオディスク１０の片面分に相当し、たとえば「ベートーベンの作品集の第１巻」をこのアルバムに割り当てることができる。その場合、このアルバムは、たとえば交響曲第１番のグループ＃１〜交響曲第９番のグループ＃９などで構成できる。
【００９１】
各グループ（たとえばグループ＃１）は、対応交響曲（交響曲第１番）の第  １楽章〜第４楽章それぞれに対応したトラック＃１〜＃４で構成で構成される。さらに、各トラックは、その内容を適宜ｉ分割したインデックス＃１〜＃ｉで構成で構成される。
【００９２】
図９のような階層構造で制作されたＤＶＤオーディオディスク１０をユーザが再生する場合、ユーザは、そのディスク１０をＤＶＤオーディオプレーヤ（図  ２９〜図３０）にセットしてから、図示しないリモートコントローラを操作して、グループ＃１、およびトラック＃１を選択できる。
【００９３】
この選択をしてからユーザがリモートコントローラの再生ボタンを押すと、  ＤＶＤオーディオプレーヤは、ベートーベンの交響曲第１番の第１楽章の頭から再生を開始する。ユーザがさらに特定のインデックスをリモートコントローラから指示すると、指示されたインデックス部分がサーチされ、その部分から再生される。（そのアルバムの最初のグループの最初のトラックの最初のインデックス部分については、ユーザがなにも指定しなくてもデフォルトで再生できる。）
なお、ＤＶＤビデオディスクの再生の場合はユーザはタイトル（特定の映画作品タイトルなど）を認識できるが、ＤＶＤオーディオディスクの場合はユーザには「タイトル」が見えない。ユーザに見えるのは、図９の「アルバム」と、「グループ」と、「トラック」と、「インデックス」だけである。
【００９４】
図１０は、図１の光ディスクに記録される情報（ＤＶＤオーディオおよび    ＤＶＤビデオのデータファイル）のディレクトリ構造を示す。この図は、      ＤＶＤファイル規格で定義されるファイル・ディレクトリ構造の例である。
【００９５】
コンピュータの汎用オペレーティングシステムが採用している階層ファイル構造と同様に、ルートディレクトリの下にビデオタイトルセットＶＴＳのサブディレクトリ、オーディオタイトルセットＡＴＳのサブディレクトリ、ユーザ定義のディレクトリ等が繋がっている。
【００９６】
ビデオタイトルセットＶＴＳのサブディレクトリ中には、種々なビデオファイル（ＶＭＧＩ、ＶＭＧＭ、ＶＴＳＩ、ＶＴＳＭ、ＶＴＳ等のファイル；図４参照）が配置されて、各ファイルが整然と管理されるようになっている。
【００９７】
また、オーディオタイトルセットＡＴＳのサブディレクトリ中には、種々なオーディオファイル（ＡＭＧＩ、ＡＴＳＩ、ＡＴＳ等のファイル；図３参照）が配置されて、各ファイルが整然と管理されるようになっている。
【００９８】
ユーザは、特定のファイル（特定のＶＴＳまたは特定のＡＴＳ）に、ルートディレクトリからそのファイルまでのパスを指定することで、アクセスできる。
【００９９】
ＤＶＤビデオ規格に準拠して作られたＤＶＤビデオプレーヤは、ＤＶＤビデオ規格に準拠して作られたＤＶＤビデオディスクを再生する場合、まずルートディレクトリの下のビデオタイトルセットＶＴＳディレクトリ内にある管理情報    （ＶＭＧ）を読み込み、その情報によりビデオコンテンツを再生する。しかし、ＶＭＧによって再生できるのはＶＴＳディレクトリ内に記録されたビデオコンテンツ（ＶＴＳ）に限られる。
【０１００】
一方、ＤＶＤオーディオ規格に準拠して作られたＤＶＤオーディオプレーヤ  （またはＤＶＤビデオ・ＤＶＤオーディオコンパチブルプレーヤ）は、ＤＶＤオーディオ規格に準拠して作られたＤＶＤオーディオディスクを再生する場合、まずルートディレクトリの下のオーディオタイトルセットＡＴＳディレクトリ内にある管理情報（ＡＭＧ）を読み込み、その情報によりオーディオコンテンツを再生する。この場合、ＡＭＧによって再生できるのは、ＡＴＳディレクトリ内に記録されたオーディオコンテンツ（ＡＴＳ）に限られず、ＶＴＳディレクトリ内のビデオコンテンツ（ＶＴＳ）も再生可能となっている（その仕組みは図１２以降を参照して後述する）。
【０１０１】
図１１は、図１の光ディスクに記録される情報（ＤＶＤオーディオおよび    ＤＶＤビデオのデータファイル）のディレクトリ構造の他例を示す。
【０１０２】
図１０の例ではＶＴＳディレクトリもＡＴＳディレクトリもルートディレクトリの下の同じ階層レベルに配置されている。一方、図１１の例では、ルートディレクトリ（親ディレクトリ）の下の階層にＡＴＳディレクトリ（子ディレクトリ）を配置し、ＡＴＳディレクトリの下の階層にＶＴＳディレクトリ（孫ディレクトリ）を配置している。
【０１０３】
図１２は、図１０のディレクトリ構造において、オーディオコンテンツ側のディレクトリからビデオコンテンツ側のディレクトリ内のファイルにアクセスする場合を説明する図である。
【０１０４】
すなわち、ＡＶディスク１０に記録されたデータファイルを管理する階層管理構造において、ルートディレクトリ（親ディレクトリ）の下にビデオタイトルセットディレクトリ（子ディレクトリ）およびオーディオタイトルセットディレクトリ（子ディレクトリ）が配置されている。
【０１０５】
ビデオタイトルセットディレクトリ（ＶＴＳディレクトリ）は、ディスク    １０に記録されたビデオコンテンツのファイルを扱うディレクトリであり、ビデオマネージャＶＭＧのファイルおよび１以上のビデオタイトルセットＶＴＳのファイル（ビデオコンテンツの論理ユニット）を含んでいる（図４参照）。
【０１０６】
オーディオタイトルセットディレクトリ（ＡＴＳディレクトリ）は、ディスク１０に記録されたオーディオコンテンツのファイルを扱うディレクトリであり、オーディオマネージャＡＭＧのファイルおよび１以上のオーディオタイトルセットＡＴＳのファイル（オーディオコンテンツの論理ユニット）を含んでいる（図３参照）。
【０１０７】
ＶＴＳディレクトリのＶＭＧは、ＶＴＳのみを管理するもので、ＶＴＳディレクトリ内のＶＴＳにしかアクセスできないようになっている。
【０１０８】
一方、ＡＴＳディレクトリのＡＭＧは、主にＡＴＳを管理するものであるが、ＡＴＳディレクトリ内のＡＴＳのみならず、ＶＴＳディレクトリ内のＶＴＳにもアクセスできるようになっている。
【０１０９】
その具体的内容は図１７〜図２０を参照して後述するが、ＡＭＧはオーディオマネージャ情報ＡＭＧＩを含み（図１７）、ＡＭＧＩはオーディオタイトルのサーチポインタテーブルＡＴＴ＿ＳＲＰＴを含み（図１７）、ＡＴＴ＿ＳＲＰＴはオーディオ・オンリータイトル（ＡＯＴＴ）用のサーチポインタＡＴＴ＿      ＳＲＰおよびオーディオ・ビデオ（ＡＶＴＴ）用のサーチポインタＡＴＴ＿    ＳＲＰを含んでいる（図２０）。
【０１１０】
つまり、ＡＴＳディレクトリのＡＭＧは、ＡＯＴＴ用サーチポインタＡＴＴ＿ＳＲＰＴによりＡＴＳディレクトリ内のオーディオタイトルセット            ＡＴＳ＃１、ＡＴＳ＃２、…にアクセスでき、かつ、ＡＶＴＴ用サーチポインタＡＴＴ＿ＳＲＰＴによりＶＴＳディレクトリ内のビデオタイトルセット        ＶＴＳ＃１、ＶＴＳ＃２、…にアクセス可能となる。これにより、あるオブジェクト（ＶＴＳ＃１など）をビデオコンテンツとオーディオコンテンツの双方で共用できるようになる。これが、この発明の「オブジェクト共有化システム」の重要な特徴の１つである。
【０１１１】
図１３は、図１０のディレクトリ構造において、オーディオコンテンツ側のディレクトリ内のファイルがビデオコンテンツ側のディレクトリ内のファイルにリンクする場合を説明する図である。図１３は、図１２の変形例と捕らえることもできる。
【０１１２】
すなわち、図１２の例では、オーディオマネージャＡＭＧがオーディオタイトルセットＡＴＳおよびビデオタイトルセットＶＴＳの双方にアクセスできるような構成を取ることにより、あるＶＴＳがビデオコンテンツとオーディオコンテンツとで共用されている。
【０１１３】
一方、図１３の例では、あるオーディオタイトルセット（ここでは          ＡＴＳ＃１）に、あるビデオタイトルセット（ここではＶＴＳ＃１）へリンクするための情報（ＶＴＳ＃１の所定部分のアドレスを指し示すポインタなど）を書き込んでいる。こうすることにより、たとえばＶＴＳ＃１内のオーディオデータがビデオコンテンツとオーディオコンテンツとで共用できるようになる。
【０１１４】
図１４は、図１２のファイルアクセスが図３および図４のボリュームスペース内においてどのように行われるかの一例を説明するデータ構造図である。図    １４のデータ構造は、図１２のディレクトリ構造に対応している。
【０１１５】
図１４において、斜線で図示される部分は、ビデオコンテンツ（またはビデオボリューム）とオーディオコンテンツ（またはオーディオボリューム）とで共用されるコンテンツを例示している。
【０１１６】
図１４のデータ構造の考え方の基本は、ビデオコンテンツのための記録領域  （ＶＭＧ＋ＶＴＳ）とオーディオコンテンツのための記録領域                （ＡＭＧ＋ＡＴＳ）とをそれぞれ独立にボリュームスペース２８に記録し、ビデオ用のみならずオーディオ用としても共通に利用されるビデオコンテンツに関しては、ＡＭＧからも管理可能とすることである。
【０１１７】
具体例を言えば、図１４において、ＶＭＧで管理されるビデオタイトルセットＶＴＳ＃１がビデオオブジェクトセットＶＯＢＳ＃１の一部（セル）にアクセスできる一方で、ＡＭＧで管理されるオーディオタイトルセットＡＴＳ＃１が    ＶＯＢＳ＃１の他部（セル）にアクセスできるようになっている。この例では、ＶＴＳ＃１のビデオオブジェクトセットＶＯＢＳ＃１を構成するセルの一部（図８参照）が、ビデオコンテンツとオーディオコンテンツとで共用されることになる。
【０１１８】
図１４のデータ構造では、ＤＶＤオーディオゾーン７１がアドレスの小さい方（図３のリードインエリア２７に近い方）に配置され、ＤＶＤビデオゾーン    ７２がアドレスの大きい方（図３のリードアウトエリア２６に近い方）に配置される。この場合、ＡＭＧは、ＡＴＳにアクセスするときもＶＴＳにアクセスするときも、常に＋方向に変化するアドレスを用いれば良く、ー方向のアドレスを扱う必要がないので、再生システムの構築が容易になる。
【０１１９】
図１５は、図１２のファイルアクセスが図３および図４のボリュームスペース内においてどのように行われるかの他の例を説明するデータ構造図である。図  １５は図１４の変形例と捕らえることができる。
【０１２０】
図１４では、ＤＶＤオーディオゾーン７１がアドレスの小さい方に配置され、ＤＶＤビデオゾーン７２がアドレスの大きい方に配置されているので、前述したように、ー方向のアドレスを扱う必要がなかった。
【０１２１】
一方、図１４では、ＤＶＤビデオゾーン７２がアドレスの小さい方（図３のリードインエリア２７に近い方）に配置され、ＤＶＤオーディオゾーン７１はアドレスの大きい方（図３のリードアウトエリア２６に近い方）に配置されている。この場合、ＡＭＧは、ＡＴＳにアクセスするときは＋方向のアドレスを扱い、  ＶＴＳにアクセスするときはー方向のアドレスを扱うことになる。この場合、所望のオブジェクト（ＡＴＳあるいはＶＴＳ中のセル）にアクセスする際のアドレッシングが面倒であり、製品コストが問題になる民生用ＤＶＤオーディオプレーヤに採用するのは難しくなる。
【０１２２】
しかし、ＤＶＤドライブを持つパーソナルコンピュータをソフトウエアで    ＤＶＤオーディオプレーヤ化する場合は、図１５のデータ構造が採用されても、コスト上の問題は回避できる。つまり、図１５のデータ構造を一旦解析したパーソナルコンピュータのオペレーティングシステム（または制御ソフトウエア）は、自分のメモリ上でアドレスをリマッピングし、物理的には図１５の配置であったデータ構造を見かけ上図１４の配置に変換してしまうことができる。そうすれば、そのパーソナルコンピュータのＭＰＵまたはＣＰＵは、図１４の場合と同様に、＋方向だけのアドレス指定でもって、ＡＭＧから、ＡＴＳにもＶＴＳにもアクセスできるようになる。
【０１２３】
図１６は、図１２のファイルアクセスが図３および図４のボリュームスペース内においてどのように行われるかのさらに他の例を説明するデータ構造図である。図１６も、図１４の変形例と捕らえることができる。
【０１２４】
図１４では、ＤＶＤオーディオゾーン７１がアドレスの小さい方に配置され、ＤＶＤビデオゾーン７２がアドレスの大きい方に配置されているので、前述したように、マイナス（−）方向のアドレスを扱う必要がなかった。
【０１２５】
これに対し、図１６のデータ構造では、ＤＶＤオーディオゾーン７１の      ＡＭＧがアドレスの小さい方（図３のリードインエリア２７に近い方）に配置され、ＤＶＤビデオゾーン７２のＶＭＧがＡＭＧよりはアドレスの大きい方（図  ３のリードアウトエリア２６に近い方）に配置されている。この場合、ＡＭＧは、ＡＴＳにアクセスするときもＶＴＳにアクセスするときも、常に＋方向に変化するアドレスを用いれば良く、ー方向のアドレスを扱う必要がない。このため、図１４の場合と同様に、再生システムの構築が容易になる。
【０１２６】
ただし、図１６のデータ構造ではＡＴＳ＃１内にＶＴＳ＃１等が配置される「入れ子」構造となるため、図４のＶＭＧは、ＡＴＳ内のＶＴＳがＤＶＤビデオゾーン７２に存在しているとは認識できない。この場合、ＶＭＧは、ＡＴＳ内の  ＶＴＳが他記録エリア７３に存在しているものとして取り扱うことができる。
【０１２７】
図１６のデータ構造は、ＡＭＧがＡＴＳのみならずＶＴＳもアクセスできるようにする場合において、他記録エリア７３を使用する場合に、利用できる。
【０１２８】
以上、「ＡＭＧがＡＴＳおよびＶＴＳにアクセスできる」データ構造の例として図１４〜図１６の３種を挙げたが、一番好ましいのは、図１４のデータ構造である。その理由は、アドレスのリマッピングをしなくても所望の共用オブジェクトに＋方向のアドレス指定だけでアクセスできるからである。
【０１２９】
図１７は、図３のＤＶＤオーディオゾーン内のオーディオマネージャ情報    ＡＭＧＩの記録内容を説明する図である。
【０１３０】
ＤＶＤオーディオゾーン７１で扱うコンテンツには、オーディオ・オンリータイトルＡＯＴＴと、ビデオ付オーディオタイトル（またはオーディオ・ビデオタイトル）ＡＶＴＴの２種がある。
【０１３１】
ＡＯＴＴは、オーディオディスク（Ａディスク）１０内のタイトルであってビデオ部を持たず、オーディオタイトルセットディレクトリ下に記録された      ＡＴＳ内で定義される。一方、ＡＶＴＴは、オーディオディスク（ＡＶディスク）１０内のタイトルであってビデオ部を持ち、ビデオタイトルセットディレクトリ下に記録されたＶＴＳ内で定義される。そして、ＡＯＴＴとＡＶＴＴの総称をＡＴＴ（オーディオタイトル）と定義する。
【０１３２】
上記ＡＴＴのデータが記録されるＤＶＤオーディオゾーン７１は、          ＡＭＧ７１１および１以上（最大９９）のオーディオタイトルセット          （ＡＴＳ＃１〜ＡＴＳ＃ｍ）７１２で構成されている。
【０１３３】
ＡＭＧ７１１は、オーディオマネージャ情報ＡＭＧＩファイル７１１０と、オーディオマネージャメニュー用ビデオオブジェクトセットＡＭＧＭ＿ＶＯＢＳファイル（オプションファイル）７１１１とオーディオマネージャ情報バックアップＡＭＧＩ＿ＢＵＰファイル７１１２とで構成されている。
【０１３４】
ＡＭＧＩファイル７１１０は、オーディオマネージャ情報管理テーブル      ＡＭＧＩ＿ＭＡＴと、オーディオタイトルのサーチポインタテーブルＡＴＴ＿  ＳＲＰＴと、オーディオ・オンリータイトルのサーチポインタテーブル        ＡＯＴＴ＿ＳＲＰＴと、オーディオマネージャメニューのプログラムチェーン情報ユニットテーブルＡＭＧＭ＿ＰＧＣＩ＿ＵＴと、オーディオテキストデータマネージャＡＴＸＴＤＴ＿ＭＧを含んでいる。
【０１３５】
すなわち、ＡＭＧは、2 つのサーチ情報ＡＴＴ＿ＳＲＰＴおよびＡＯＴＴ＿  ＳＲＰＴを持っている。ここで、ＡＴＴ＿ＳＲＰＴはＡＯＴＴおよびＡＶＴＴ両方のサーチ情報を記述したテーブルであり、ＡＯＴＴ＿ＳＲＰＴはＡＯＴＴのみのサーチ情報を記述したテーブルである。
【０１３６】
このように、サーチ情報をＡＶＴＴ用とＡＯＴＴ用の2 種に分けるのではなく、ＡＴＴ（ＡＯＴＴとＡＶＴＴの総称）用（後述する図２０のＡＴＴ＿        ＳＲＰＴ）とＡＯＴＴ用（後述する図２２のＡＯＴＴ＿ＳＲＰＴ）の2 種に分けるようにしたのは、種々なＤＶＤプレーヤに対して再生方法を簡単にするためである。
【０１３７】
図１８は、図１７のオーディオマネージャ情報ＡＭＧＩに含まれるオーディオマネージャ情報管理テーブルＡＭＧＩ＿ＭＡＴの記録内容を示す。
【０１３８】
すなわち、このオーディオマネージャ情報管理テーブルＡＭＧＩ＿ＭＡＴには、オーディオマネージャー識別子（ＡＭＧ＿ＩＤ）；オーディオマネージャのエンドアドレス（ＡＭＧ＿ＥＡ）；オーディオマネージャ情報のエンドアドレス  （ＡＭＧＩ＿ＥＡ）；該当光ディスク（ＤＶＤオーディオディスク）１０が採用する規格のバージョン番号（ＶＥＲＮ）；ボリューム設定識別子（ＶＬＭＳ＿  ＩＤ）；タイトルセット数（ＴＳ＿Ｎｓ）；プロバイダ（ソフトウエアの制作・販売元）の識別子（ＰＶＲ＿ＩＤ）；オーディオマネージャ情報管理テーブルのエンドアドレス（ＡＭＧＩ＿ＭＡＴ＿ＥＡ）；オーディオマネージャメニューのビデオオブジェクトセットのスタートアドレス（ＡＭＧＭ＿ＶＯＢＳ＿        ＳＡ）；オーディオタイトルのサーチポインタテーブルのスタートアドレス    （ＡＴＴ＿ＳＲＰＴ＿ＳＡ）；オーディオ・オンリータイトルのサーチポインタテーブルのスタートアドレス（ＡＯＴＴ＿ＳＲＰＴ＿ＳＡ）；オーディオマネージャメニュー用プログラムチェーン情報のユニットテーブルのスタートアドレス（ＡＭＧＭ＿ＰＧＣＩ＿ＵＴ＿ＳＡ）；オーディオテキストデータマネージャのスタートアドレス（ＡＴＸＴＤＴ＿ＭＧ＿ＳＡ）；オーディオマネージャメニューのビデオオブジェクトセットに対するビデオ属性（ＡＭＧＭ＿Ｖ＿          ＡＴＲ）；オーディオマネージャメニューに対する副映像ストリーム数        （ＡＭＧＭ＿ＳＰＳＴ＿Ｎｓ）；オーディオマネージャメニューのビデオオブジェクトセットに対する副映像の属性（ＡＭＧＭ＿ＳＰＳＴ＿ＡＴＲ）；ディオマネージャメニューのオーディオストリーム数（ＡＭＧＭ＿ＡＳＴ＿Ｎｓ）；ディオマネージャメニューのビデオオブジェクトセットに対するオーディオ属性    （ＡＭＧＭ＿ＡＳＴ＿ＡＴＲ）；その他の予約エリアが設けられている。
【０１３９】
上記オーディオマネージャメニューのビデオオブジェクトセットのスタートアドレスＡＭＧＭ＿ＶＯＢＳ＿ＳＡには、ＡＭＧの最初の論理ブロックからの相対ブロック数でもって、ＡＭＧＭ＿ＶＯＢＳのスタートアドレスが書き込まれる。ＡＭＧＭ＿ＶＯＢＳがないときは「００００００００ｈ」がこのＡＭＧＭ＿    ＶＯＢＳ＿ＳＡに書き込まれる。
【０１４０】
上記スタートアドレスＡＴＴ＿ＳＲＰＴ＿ＳＡには、ＡＭＧＩの最初の論理ブロックからの相対ブロック数でもって、ＡＴＴ＿ＳＲＰＴのスタートアドレスが書き込まれる。
【０１４１】
上記スタートアドレスＡＯＴＴ＿ＳＲＰＴ＿ＳＡには、ＡＭＧＩの最初の論理ブロックからの相対ブロック数でもって、ＡＯＴＴ＿ＳＲＰＴのスタートアドレスが書き込まれる。
【０１４２】
図１８のＡＭＧＩ＿ＭＡＴに書き込まれたＡＴＴ＿ＳＲＰＴ＿ＳＡあるいは  ＡＯＴＴ＿ＳＲＰＴ＿ＳＡから、オーディオタイトルのサーチポインタＡＴＴ＿ＳＲＰＴあるいはオーディオ・オンリータイトルのサーチポインタＡＯＴＴ＿  ＳＲＰＴがディスク１０の何処に記録されているかが分かるようになる。
【０１４３】
図１９は、図１７のオーディオマネージャ情報ＡＭＧＩに含まれるオーディオタイトルのサーチポインタテーブルＡＴＴ＿ＳＲＰＴの内容を説明する図である。ＡＭＧＩは、２種のサーチポインタＡＴＴ＿ＳＲＰＴおよびＡＯＴＴ＿      ＳＲＰＴを持っているが、図１９はＡＯＴＴにもＡＶＴＴにもアクセスできるサーチポインタＡＴＴ＿ＳＲＰを示している。
【０１４４】
すなわち、ＡＭＧＩに含まれるＡＴＴ＿ＳＲＰＴは、オーディオタイトルのサーチポインタテーブル情報ＡＴＴ＿ＳＲＰＴＩと１以上のオーディオタイトルサーチポインタＡＴＴ＿ＳＲＰ（ＡＴＴ＿ＳＲＰ＃１〜ＡＴＴ＿ＳＲＰ＃ｎ）を含む。ＡＴＴ＿ＳＲＰＴＩはオーディオタイトルサーチポインタの数とＡＴＴ＿  ＳＲＰＴのエンドアドレスを含んでいる。
【０１４５】
図２０は、図１９のオーディオタイトルのサーチポインタテーブルＡＴＴ＿  ＳＲＰＴに含まれる各オーディオタイトルサーチポインタ（ここではＡＴＴ＿  ＳＲＰ＃ｎ）の内容を説明する図である。
【０１４６】
ＤＶＤオーディオの規格は音だけでなく画像も扱えるようになっており、    ＡＭＧは2 つのサーチ情報ＡＴＴ＿ＳＲＰＴおよびＡＯＴＴ＿ＳＲＰＴを持っている。図２０のＡＴＴ＿ＳＲＰＴは、ＡＯＴＴおよびＡＶＴＴ両方のサーチ情報を記述したテーブルである。
【０１４７】
図２０において、オーディオ・オンリータイトル用のサーチポインタ        ＡＯＴＴ・ＡＴＴ＿ＳＲＰは、オーディオタイトルＡＴＴのカテゴリと、オーディオタイトルＡＴＴ内のプログラム数と、オーディオタイトルＡＴＴのトータル再生時間と、オーディオタイトルセットＡＴＳの番号と、オーディオタイトルセットＡＴＳのタイトル番号と、オーディオタイトルセットＡＴＳの開始アドレスとを含んでいる。
【０１４８】
また、ビデオ付オーディオタイトル用のサーチポインタＡＶＴＴ＿ＳＲＰは、オーディオタイトルＡＴＴのカテゴリと、オーディオタイトルＡＴＴのトータル再生時間と、タイトル再生形式と、ビデオに含まれるアングル数と、ビデオに含まれるパートオブタイトル数と、ビデオタイトルセットＶＴＳの番号と、ビデオタイトルセットＶＴＳのタイトル番号と、ビデオタイトルセットＶＴＳの開始アドレスとを含んでいる。
【０１４９】
図２１は、図１７のオーディオマネージャ情報ＡＭＧＩに含まれるオーディオ・オンリータイトルのサーチポインタテーブルＡＯＴＴ＿ＳＲＰＴの内容を説明する図である。ＡＭＧＩは、２種のサーチポインタＡＴＴ＿ＳＲＰＴおよび    ＡＯＴＴ＿ＳＲＰＴを持っているが、図２１はＡＯＴＴだけにアクセスできるサーチポインタＡＯＴＴ＿ＳＲＰを示している。
【０１５０】
すなわち、ＡＭＧＩに含まれるＡＯＴＴ＿ＳＲＰＴは、オーディオ・オンリータイトルのサーチポインタテーブル情報ＡＯＴＴ＿ＳＲＰＴＩと１以上のオーディオ・オンリータイトルサーチポインタＡＯＴＴ＿ＳＲＰ（ＡＯＴＴ＿        ＳＲＰ＃〜ＡＯＴＴ＿ＳＲＰ＃ｍ）を含む。ＡＯＴＴ＿ＳＲＰＴＩはオーディオ・オンリータイトルサーチポインタの数とＡＯＴＴ＿ＳＲＰＴのエンドアドレスを含んでいる。
【０１５１】
図２２は、図２１のオーディオ・オンリータイトルのサーチポインタテーブルＡＯＴＴ＿ＳＲＰＴに含まれるオーディオ・オンリータイトルサーチポインタ  （ここではＡＯＴＴ＿ＳＲＰ＃ｍ）の内容を説明する図である。
【０１５２】
ＤＶＤオーディオの規格は音だけでなく画像も扱えるようになっており、    ＡＭＧは2 つのサーチ情報ＡＴＴ＿ＳＲＰＴおよびＡＯＴＴ＿ＳＲＰＴを持っているが、図２２のＡＯＴＴ＿ＳＲＰＴは、ＡＯＴＴだけのサーチ情報を記述したテーブルである。
【０１５３】
すなわち、図２２において、オーディオ・オンリータイトル用のサーチポインタＡＯＴＴ・ＡＴＴ＿ＳＲＰは、オーディオタイトルＡＴＴのカテゴリと、オーディオ・オンリータイトルＡＯＴＴ内のプログラム数と、オーディオ・オンリータイトルＡＯＴＴのトータル再生時間と、オーディオタイトルセットＡＴＳの番号と、オーディオタイトルセットＡＴＳのタイトル番号と、オーディオタイトルセットＡＴＳの開始アドレスとを含んでいる。
【０１５４】
ところで、オーディオマネージャＡＭＧ内で定義される再生タイトルの制御情報中では、タイトルグループＴＴ＿ＧＲを指定することができる。
【０１５５】
このタイトルグループＴＴ＿ＧＲは、１個以上のオーディオタイトルＡＴＴの集合体であり、ＡＴＴ群の連続再生を保証する単位として定義される。ユーザから見れば、オーディオタイトルＡＴＴは「曲」に相当し、タイトルグループ    ＴＴ＿ＧＲは曲の集合体としての「アルバム」に相当する（図９参照）。レコードあるいはＣＤにおいて、アルバムの先頭または途中の曲から再生を開始すると、そのままアルバムの最後まで連続して再生できるのと同じように、ＴＴ＿    ＧＲの先頭または途中のＡＴＴから再生を開始すると、そのままこのＴＴ＿    ＧＲの最後まで連続して再生ができるようになっている。
【０１５６】
タイトルグループＴＴ＿ＧＲとしては、次の2 種類を定義することができる。
【０１５７】
＜Ａ１＞オーディオタイトルグループ（ＡＴＴ＿ＧＲ）；このＡＴＴ＿ＧＲは、オーディオタイトルサーチポインタテーブルＡＴＴ＿ＳＲＰＴ内に定義されるオーディオタイトルＡＴＴからなるタイトルグループＴＴ＿ＧＲである。
【０１５８】
＜Ａ２＞オーディオ・オンリータイトルグループ（ＡＯＴＴ＿ＧＲ）；この  ＡＯＴＴ＿ＧＲは、オーディオ・オンリータイトルサーチポインタテーブル    ＡＯＴＴ＿ＳＲＰＴ内に定義されるオーディオ・オンリータイトルＡＯＴＴからなるタイトルグループＴＴ＿ＧＲである。
【０１５９】
オーディオタイトルグループＡＴＴ＿ＧＲは、オーディオ規格の画像と音声を再生できるプレーヤ（ＡＯＴＴおよびＡＶＴＴの双方を扱うプレーヤ）のためのものであり、オーディオ・オンリータイトルグループＡＯＴＴ＿ＧＲは、オーディオ規格の音声だけを再生できるプレーヤ（ＡＯＴＴだけを扱うプレーヤ）のためのものである。
【０１６０】
また、オーディオタイトルＡＴＴの構成には次の３種類がある。
【０１６１】
＜Ｂ１＞ＡＴＴがＡＯＴＴのみを持つもの
＜Ｂ２＞ＡＴＴがＡＶＴＴのみを持つもの
＜Ｂ３＞ＡＴＴがＡＯＴＴとＡＶＴＴの両方を持つもの（ここでは、        ＡＯＴＴとＡＶＴＴは、曲としては同じものだが、画像なしバージョンである  ＡＯＴＴと、画像付バージョンであるＡＶＴＴの両方を持つという意味）
上記＜Ｂ１＞の場合は、ＡＯＴＴのためのサーチ情報はＡＴＴ＿ＳＲＰＴおよびＡＯＴＴ＿ＳＲＰＴの両方に記述される（図２０および図２２参照）。
【０１６２】
上記＜Ｂ２＞の場合は、ＡＶＴＴのためのサーチ情報はＡＴＴ＿ＳＲＰＴだけに記述される（図２０参照）。
【０１６３】
上記＜Ｂ３＞の場合は、ＡＯＴＴのためのサーチ情報はＡＯＴＴ＿ＳＲＰＴのみに記述され、ＡＶＴＴのためのサーチ情報はＡＴＴ＿ＳＲＰＴだけに記述される（図２０参照）。
【０１６４】
上記＜Ｂ１＞〜＜Ｂ３＞の関係を例示したものが図２３である。
【０１６５】
図２３は、図１７のオーディオマネージャ情報ＡＭＧＩ内のオーディオ・オンリータイトルサーチポインタＡＯＴＴ＿ＳＲＰでアクセスされるオーディオ・オンリータイトルのグループＡＯＴＴ＿ＧＲと、このオーディオマネージャ情報  ＡＭＧＩ内のオーディオタイトルサーチポインタＡＴＴ＿ＳＲＰでアクセスされるオーディオタイトルのグループＡＴＴ＿ＧＲとの関係を例示している。図    ２３は、ＡＴＴ＿ＳＲＰＴとＡＯＴＴ＿ＳＲＰＴとの関係を表す例であるともいえる。
【０１６６】
図２３において、オーディオタイトルＡＴＴ＃１および＃９はそれぞれビデオ付オーディオタイトルＡＶＴＴだけで構成され、ＡＴＴ＃２および＃３はそれぞれビデオ付オーディオタイトルＡＶＴＴとオーディオ・オンリータイトル      ＡＯＴＴで構成され、ＡＴＴ＃４、＃５、＃７、＃８はそれぞれオーディオ・オンリータイトルＡＯＴＴだけで構成されている。
【０１６７】
図２３の例では、９個のオーディオタイトルＡＴＴが用いられ、これらを４つにグループ分け（ＧＲ＃１〜ＧＲ＃４）してオーディオタイトルグループ      ＡＴＴ＿ＧＲを構成し、２つにグループ分け（ＧＲ＃１〜ＧＲ＃２）してオーディオ・オンリータイトルグループＡＯＴＴ＿ＧＲを構成している。
【０１６８】
この例では、オーディオタイトルＡＴＴ＃１および＃９はＡＶＴＴのみで構成されそこにはＡＯＴＴが存在しない。したがって、ＡＴＴ＃１および＃９はオーディオ・オンリータイトルグループＡＯＴＴ＿ＧＲとしては存在しない。
【０１６９】
このため、オーディオタイトルグループＡＴＴ＿ＧＲの個数（この例では４個）とオーディオ・オンリータイトルグループＡＯＴＴ＿ＧＲの個数（この例では  ２個）は一般的には一致しない。
【０１７０】
ここで必要なことは、オーディオ規格の画像と音声を再生できるプレーヤ    （ＡＯＴＴおよびＡＶＴＴの双方を扱うプレーヤ）でＡＴＴ群を再生する場合と、オーディオ規格の音声だけを再生できるプレーヤ（ＡＯＴＴだけを扱うプレーヤ）でＡＴＴ群を再生する場合において、タイトルグループＴＴ＿ＧＲの同一性を保つことである。
【０１７１】
すなわち、対応するＡＴＴ＿ＧＲとＡＯＴＴ＿ＧＲは、ＧＲ番号は異なったとしても、同一のＡＴＴから構成され、なおかつＴＴ＿ＧＲ内でのＡＴＴの順番も同じにする必要がある。そうでないと、ユーザは混乱してしまう。もちろんこの事は、ＡＶＴＴのみであってＡＯＴＴが存在しないようなＡＴＴ（図２３の    ＡＴＴ＃１および＃９）は除外しての話である。
【０１７２】
上記「必要」を満足するためには、「ＡＯＴＴとして定義されないＡＴＴ」と「ＡＯＴＴとして定義されるＡＴＴ」とが１つのＡＴＴ＿ＧＲ内に混在しないように制限を加えるとよい。これにより、ＡＴＴ＿ＧＲとＡＯＴＴ＿ＧＲの両方が存在する部分においては、ＴＴ＿ＧＲとしての同一性が保たれる。
【０１７３】
図２３の例でいうと、ＡＴＴのＧＲ＃2 とＡＯＴＴのＧＲ＃1 、および      ＡＴＴ＿ＧＲ＃３とＡＯＴＴ＿ＧＲ＃２は、それぞれ同一のＡＴＴから構成され、ＴＴ＿ＧＲ内でのＡＴＴの順番も同一となっている。
【０１７４】
図２４は、図３のＤＶＤオーディオゾーン内のオーディオタイトルセット    （ＡＴＳ）の記録内容を説明する図である。
【０１７５】
オーディオタイトルセットＡＴＳは、オーディオタイトルセット情報        ＡＴＳＩと、オーディオ・オンリータイトル用オーディオオブジェクトセット  ＡＯＴＴ＿ＡＯＢＳと、オーディオタイトルセット情報のバックアップ        ＡＴＳＩ＿ＢＵＰとで構成されている。
【０１７６】
オーディオタイトルセット情報ＡＴＳＩは、オーディオタイトルセット管理テーブルＡＴＳＩ＿ＭＡＴおよびオーディオタイトルセットプログラムチェーン情報テーブルＡＴＳ＿ＰＧＣＩＴを含んでいる。
【０１７７】
そして、オーディオタイトルセットプログラムチェーン情報テーブルＡＴＳ＿ＰＧＣＩＴは、オーディオタイトルセットプログラムチェーン情報テーブル情報ＡＴＳ＿ＰＧＣＩＴＩと、オーディオタイトルセットプログラムチェーン情報サーチポインタＡＴＳ＿ＰＧＣＩ＿ＳＲＰと、１以上のオーディオタイトルセットプログラムチェーン情報ＡＴＳ＿ＰＧＣＩとを含んでいる。
【０１７８】
図２５は、図２４のオーディオタイトルセット情報管理テーブルＡＴＳＩ＿  ＭＡＴの記録内容を示す。
【０１７９】
すなわち、このオーディオタイトルセット情報管理テーブルＡＴＳＩ＿      ＭＡＴには、オーディオタイトルセット識別子（ＡＴＳＩ＿ＩＤ）；オーディオタイトルセットのエンドアドレス（ＡＴＳ＿ＥＡ）；オーディオタイトルセット情報のエンドアドレス（ＡＴＳＩ＿ＥＡ）；採用されたオーディオ規格のバージョン番号（ＶＥＲＮ）；オーディオタイトルセット情報管理テーブルのエンドアドレス（ＡＴＳＩ＿ＭＡＴ＿ＥＡ）；オーディオ・オンリータイトルＡＯＴＴ用ビデオタイトルセットＶＴＳのスタートアドレス（ＶＴＳ＿ＳＡ）；オーディオ・オンリータイトル用オーディオオブジェクトセットのスタートアドレス      （ＡＯＴＴ＿ＡＯＢＳ＿ＳＡ）またはオーディオ・オンリータイトル用ビデオオブジェクトセットのスタートアドレス（ＡＯＴＴ＿ＶＯＢＳ＿ＳＡ）；オーディオタイトルセット用プログラムチェーン情報テーブルのスタートアドレス      （ＡＴＳ＿ＰＧＣＩＴ＿ＳＡ）；オーディオ・オンリータイトル用オーディオオブジェクトセットの属性（ＡＯＴＴ＿ＡＯＢＳ＿ＡＴＲ）またはオーディオ・オンリータイトル用ビデオオブジェクトセットの属性（ＡＯＴＴ＿ＶＯＢＳ＿    ＡＴＲ）＃０〜＃７；オーディオタイトルセットデータミックス係数（ＡＴＳ＿ＤＭ＿ＣＯＥＦＴ）＃０〜＃１５；
オーディオタイトルセットのスチル画属性（ＡＴＳ＿ＳＰＣＴ＿ＡＴＲ）；その他の予約エリアが設けられている。
【０１８０】
上記ＡＯＴＴ用ＶＴＳのスタートアドレスＶＴＳ＿ＳＡには、ＡＴＳが      ＡＯＴＴ＿ＡＯＢＳを持たないときは、ＡＯＴＴのために用いられる          ＶＴＳＴＴ＿ＶＯＢＳ（図８）を含むＶＴＳのスタートアドレスが書き込まれる。ＡＴＳがＡＯＴＴ＿ＡＯＢＳを持つときは「００００００００ｈ」がこの    ＶＴＳ＿ＳＡに書き込まれる。
【０１８１】
上記ＡＯＴＴ＿ＡＯＢＳ＿ＳＡには、ＡＴＳがＡＯＴＴ＿ＡＯＢＳを持つときは、ＡＴＳの最初の論理ブロックからの相対論理ブロック数でもって、        ＡＯＴＴ＿ＡＯＢＳのスタートアドレスが書き込まれる。一方、ＡＴＳが      ＡＯＴＴ＿ＡＢＯＳを持たないときは、ＡＯＴＴ＿ＶＯＢＳ＿ＳＡには、      ＶＴＳＴＴ＿ＶＯＢＳのスタートアドレスが、ＡＴＳのために用いられる      ＶＴＳＴＴ＿ＶＯＢＳを含むＶＴＳの最初の論理ブロックからの相対論理ブロック数でもって、書き込まれる。
【０１８２】
上記ＡＴＳ＿ＰＧＣＩＴ＿ＳＡには、ＡＴＳＩの最初の論理ブロックからの相対論理ブロック数でもって、ＡＴＳ＿ＰＧＣＩＴのスタートアドレスが書き込まれる。
【０１８３】
上記ＡＯＴＴ＿ＡＯＢＳ＿ＡＴＲまたはＡＯＴＴ＿ＶＯＢ＿ＡＲＴは、＃０から＃７まで８つ用意されている。ＡＴＳがＡＯＴＴ＿ＡＯＢＳを持つときは、  ＡＴＳに記録されたＡＯＴＴ＿ＡＯＢの属性がＡＯＴＴ＿ＡＯＢＳ＿ＡＴＲに書き込まれる。一方、ＡＴＳがＡＯＴＴ＿ＡＯＢＳを持たないときは、ＡＯＴＴ＿ＶＯＢ＿ＡＲＴには、ＡＴＳ内のＡＯＴＴ＿ＶＯＢのために用いられるＶＯＢ内のオーディオストリームの属性が書き込まれる。このＡＯＴＴ＿ＡＯＢＳ＿    ＡＴＲまたはＡＯＴＴ＿ＶＯＢ＿ＡＲＴには、採用されたサンプリング周波数  （４４〜１９２ｋＨｚ）および量子化ビット数（１６〜２４ビット）が書き込まれている。
【０１８４】
上記ＡＴＳ＿ＤＭ＿ＣＯＥＦＴは、マルチチャネル出力（５．１チャネル出力）を持つオーディオデータを２チャネル出力にミックスダウンする際の係数を示すもので、ＡＴＳ内に記録された１以上のＡＯＴＴ＿ＡＯＢでのみ使用される。ＡＴＳがＡＯＴＴ＿ＡＯＢＳを持たないときは、１６個（＃０〜＃１５）ある  ＡＴＳ＿ＤＭ＿ＣＯＥＦＴそれぞれの全ビットに、「０ｈ」が書き込まれる。この１６個（＃０〜＃１５）のＡＴＳ＿ＤＭ＿ＣＯＥＦＴのためのエリアは定常的に設けられている。
【０１８５】
上記ＡＴＳ＿ＳＰＣＴ＿ＡＴＲは、ＡＯＴＴ＿ＡＯＢＳ内の各スチル画のためのスチル画ストリームの属性を示す。ＡＯＴＴ＿ＡＯＢＳにスチル画がないときは、ＡＴＳ＿ＳＰＣＴ＿ＡＴＲには「００００ｈ」が書き込まれる。このスチル画の各フィールドは、ＡＯＴＴ＿ＡＯＢＳ内の各スチル画のビデオストリームに記録された情報に合わせてある。
【０１８６】
各ＡＴＳ＿ＳＰＣＴ＿ＡＴＲは１６ビットで構成され、ＭＳＢ側の２ビット  （ビットｂ１５〜ｂ１４）はビデオ圧縮モード（ＭＰＥＧ２等）を表し、次の  ２ビット（ビットｂ１３〜ｂ１２）はＴＶシステム（ＮＴＳＣ、ＰＡＬ、      ＳＥＣＡＭ等）を表し、次の２ビット（ビットｂ１１〜ｂ１０）は画像のアスペクト比（４：３、１６：９等）を表し、次の２ビット（ビットｂ９〜ｂ８）は表示モード（４：３サイズのＴＶモニタにおける４：３表示、１６：９表示、レターボックス表示等）を表している。次の２ビット（ビットｂ７〜ｂ６）は将来に備えての予約ビットである。次の３ビット（ビットｂ５〜ｂ３）は、スチル画の解像度（ＮＴＳＣシステムにおける水平７２０本ｘ垂直４８０本、ＰＡＬシステムにおける水平７２０本ｘ垂直５７６本等）を表している。ＬＳＢ側の最後の  ３ビット（ビットｂ２〜ｂ０）も、将来に備えての予約ビットである。
【０１８７】
図２６は、図２４のオーディオタイトルセット情報ＡＴＳＩに含まれるオーディオタイトルセットプログラムチェーン情報テーブルＡＴＳ＿ＰＧＣＩＴの内容を説明する図である（このＡＴＳ＿ＰＧＣＩＴの記録位置は図２５のＡＴＳＩ＿ＭＡＴのＡＴＳ＿ＰＧＣＩＴ＿ＳＡに書き込まれている）。
【０１８８】
このＡＴＳ＿ＰＧＣＩＴは、前述したように、オーディオタイトルセットプログラムチェーン情報テーブル情報ＡＴＳ＿ＰＧＣＩＴＩと、オーディオタイトルセットプログラムチェーン情報サーチポインタＡＴＳ＿ＰＧＣＩ＿ＳＲＰと、オーディオタイトルセットプログラムチェーン情報ＡＴＳ＿ＰＧＣＩとを含んでいる。
【０１８９】
上記ＡＴＳ＿ＰＧＣＩ＿ＳＲＰは１以上のオーディオタイトルセット用プログラムチェーン情報サーチポインタ（ＡＴＳ＿ＰＧＣＩ＿ＳＲＰ＃１〜ＡＴＳ＿  ＰＧＣＩ＿ＳＲＰ＃ｊ）を含み、上記ＡＴＳ＿ＰＧＣＩはＡＴＳ＿ＰＧＣＩ＿  ＳＲＰと同数のオーディオタイトルセット用プログラムチェーン情報（ＡＴＳ＿ＰＧＣＩ＃１〜ＡＴＳ＿ＰＧＣＩ＃ｊ）を含んでいる。
【０１９０】
各ＡＴＳ＿ＰＧＣＩは、オーディオタイトルセット用プログラムチェーン    ＡＴＳ＿ＰＧＣの再生を制御するナビゲーションデータとして機能する。
【０１９１】
ここで、ＡＴＳ＿ＰＧＣは、オーディオ・オンリータイトルＡＯＴＴを定義する単位であり、ＡＴＳ＿ＰＧＣＩと１以上のセル（ＡＯＴＴ＿ＡＯＢＳ内のセルまたはＡＯＴＴのオブジェクトとして用いられるＡＯＴＴ＿ＶＯＢＳ内のセル）とから構成される。
【０１９２】
各ＡＴＳ＿ＰＧＣＩは、オーディオタイトルセット用プログラムチェーンの一般情報（ＡＴＳ＿ＰＧＣ＿ＧＩ）と、オーディオタイトルセット用プログラム情報テーブル（ＡＴＳ＿ＰＧＣＩＴ）と、オーディオタイトルセット用セル再生情報テーブル（ＡＴＳ＿Ｃ＿ＰＢＩＴ）を含んでいる。
【０１９３】
上記ＡＴＳ＿ＰＧＣＩＴは１以上のオーディオタイトルセット用プログラム情報（ＡＴＳ＿ＰＧＩ＃１〜ＡＴＳ＿ＰＧＩ＃ｋ）を含み、上記ＡＴＳ＿Ｃ＿    ＰＢＩＴはＡＴＳ＿ＰＧＩと同数のオーディオタイトルセット用セル再生情報  （ＡＴＳ＿Ｃ＿ＰＢＩ＃１〜ＡＴＳ＿Ｃ＿ＰＢＩ＃ｋ）を含んでいる。
【０１９４】
図２７は、図２６のオーディオタイトルセットプログラム情報ＡＴＳ＿      ＰＧＩの内容を示す。
【０１９５】
このＡＴＳ＿ＰＧＩは、オーディオタイトルセット用プログラムの内容      （ＡＴＳ＿ＰＧ＿ＣＮＴ）と、ＡＴＳ＿ＰＧのエントリセル番号（ＡＴＳ＿    ＰＧ＿ＥＮ＿ＣＮ）と、スチル画のための内部標準記録コード（ＩＳＲＣ＿    ＳＰＣＴ）と、ＡＴＳ＿ＰＧ内の最初のオーディオセルの再生開始時間        （ＦＡＣ＿ＳＴ＿ＰＴＭ）と、ＡＴＳ＿ＰＧの再生時間（ＡＴＳ＿ＰＧ＿ＰＢ＿ＴＭ）と、ＡＴＳ＿ＰＧのポーズ時間（ＡＴＳ＿ＰＧ＿ＰＡ＿ＴＭ）を含んでいる。
【０１９６】
上記ＡＴＳ＿ＰＧ＿ＣＮＴは、先行プログラムと現在プログラムとの間の物理配置の関係を示す記述と；先行プログラムと現在プログラムとの間の再生タイムスタンプの関係を示す記述と；ＡＯＢの属性またはＡＴＳ＿ＰＧのＶＯＢ内のオーディオストリームの属性を示す記述（ＡＴＲＮ）と；ＡＴＳＩ＿ＭＡＴで定義されたＡＯＴＴ＿ＡＯＢ＿ＡＲＴまたはＡＯＴＴ＿ＶＯＢ＿ＡＲＴの番号を持つＡＴＳ＿ＰＧ（ＡＯＢ＿ＰＧ）内のＡＯＢのダウンミックスを、ＡＴＳＩ＿    ＭＡＴで定義されたＡＴＳ＿ＤＭ＿ＣＯＥＦＴの番号を用いて行なうための係数テーブル番号を示す記述（ＤＭ＿ＣＯＥＦＴＮ）とを含んでいる。
【０１９７】
上記ＡＴＳ＿ＰＧ＿ＥＮ＿ＣＮは、ＡＴＳ＿ＰＧを構成する最初のＡＴＳセルの番号（１から２５５まで）の記述を含んでいる。
【０１９８】
上記ＩＳＲＣ＿ＳＰＣＴは、ＡＴＳ＿ＰＧ内のスチル画のための内部標準記録コード（ＩＳＲＣ）の記述を含んでいる。ＡＴＳ＿ＰＧ内にスチル画がないときは、このＩＳＲＣ＿ＳＰＣＴの全ビットには「０」が書き込まれる。
【０１９９】
上記ＦＡＣ＿ＳＴ＿ＰＴＭは、ＡＴＳ＿ＰＧ内の最初のオーディオセルの先頭オーディオパケットに記述された再生タイムスタンプ（またはプレゼンテーションタイムスタンプＰＴＳ）の、下位３２ビットの記述を含んでいる。
【０２００】
上記ＡＴＳ＿ＰＧ＿ＰＢ＿ＴＭは、ＡＴＳ＿ＰＧ内の各セルのトータル再生時間を記述したものである。このトータル再生時間（秒）は、ＡＴＳ＿ＰＧ＿    ＰＢ＿ＴＭ（３２ビットデータ）を９００００で割った値として得られる。
【０２０１】
上記ＡＴＳ＿ＰＧ＿ＰＡ＿ＴＭは、ＡＴＳ＿ＰＧの最初に定義することができるポーズ時間を記述したものである。このポーズ時間（秒）は、ＡＴＳ＿ＰＧ＿ＰＡ＿ＴＭ（３２ビットデータ）を９００００で割った値として得られる。
【０２０２】
図２８は、図２６のオーディオタイトルセットセル再生情報ＡＴＳ＿Ｃ＿    ＰＢＩの内容を示す。
【０２０３】
このＡＴＳ＿Ｃ＿ＰＢＩは、オーディオタイトルセットのセル（ＡＴＳ＿    Ｃ）のインデックス番号（ＡＴＳ＿Ｃ＿ＩＸＮ）と、ＡＴＳ＿Ｃのタイプ      （ＡＴＳ＿Ｃ＿ＴＹ）と、ＡＴＳ＿Ｃのスタートアドレス（ＡＴＳ＿Ｃ＿      ＳＡ）と、ＡＴＳ＿Ｃのエンドアドレス（ＡＴＳ＿Ｃ＿ＥＡ）とを含んでいる。
【０２０４】
上記ＡＴＳ＿Ｃ＿ＩＸＮには、ＡＴＴがＡＯＢＳを持たないときは、「      ０１ｈ」が書き込まれる。
【０２０５】
ＡＴＴがＡＯＢＳを持つときは、ＡＴＴ＿Ｃの内容に応じて、ＡＴＳ＿Ｃ＿  ＩＸＮの内容は、次のようになる：
＊ＡＴＳ＿Ｃが前述したサイレントセルまたはピクチャセルである場合、このＡＴＳ＿Ｃのインデックス番号として、ＡＴＳ＿Ｃ＿ＩＸＮには、「００ｈ」が書き込まれ；
＊ＡＴＳ＿Ｃが前述したオーディオセルである場合、このＡＴＳ＿Ｃのインデックス番号として、ＡＴＳ＿Ｃ＿ＩＸＮには、「１」〜「９９」が書き込まれる。
【０２０６】
ＡＴＳ＿ＰＧ内の最初のオーディオセル（ピクチャセルおよびサイレントセルを除き番号の小さいＡＴＳ＿Ｃを持つもの）のインデックス番号は、「１」に設定される。同様なインデックス番号を、ＡＴＳ＿ＰＧ内の１以上のＡＴＳ＿Ｃに適宜割り当ててもよい。
【０２０７】
上記ＡＴＳ＿Ｃ＿ＴＹの全ビットには、ＡＴＴがＡＯＢＳを持たないときは、「０」が書き込まれる。
【０２０８】
一方、ＡＴＴがＡＯＢＳを持つときは、ＡＴＳ＿Ｃ＿ＴＹには、ＡＴＴ＿Ｃの構成（ＡＴＳ＿Ｃ＿ＣＯＭＰ）およびその用途（ＡＴＳ＿Ｃ＿Ｕｓａｇｅ）が書き込まれる。
【０２０９】
すなわち、該当セルがオーディオデータのみからなるオーディオセルである場合はＡＴＳ＿Ｃ＿ＣＯＭＰ（２ビット）に「００ｂ」が書き込まれ；
該当セルがオーディオデータおよびリアルタイム情報からなるオーディオセルである場合はＡＴＳ＿Ｃ＿ＣＯＭＰ（２ビット）に「０１ｂ」が書き込まれ；
該当セルが無音用のオーディオデータのみからなるサイレントセルである場合はＡＴＳ＿Ｃ＿ＣＯＭＰ（２ビット）に「１０ｂ」が書き込まれ；
該当セルがスチル画データのみからなるピクチャセルである場合はＡＴＳ＿  Ｃ＿ＣＯＭＰ（２ビット）に「１１ｂ」が書き込まれる。
【０２１０】
また、ＡＴＳ＿Ｃ＿Ｕｓａｇｅには、オーディオマネージャメニュー        ＡＭＧＭの表示中の特定部分を目立たせる（スポットライトをあてる）ための「スポットライト部」である等の用途を示すデータ（０００１ｂ）が書き込まれる。
【０２１１】
ＡＴＳがＡＯＴＴ＿ＡＯＢＳを持つ場合、上記ＡＴＳ＿Ｃ＿ＳＡには、      ＡＴＳ＿Ｃが記録されたＡＯＴＴ＿ＡＯＢＳの最初の論理ブロックからの相対論理ブロック番号で表したＡＴＳ＿Ｃのスタートアドレスが、記述される。
【０２１２】
一方、ＡＴＳがＡＯＴＴ＿ＡＯＢＳを持たない場合、上記ＡＴＳ＿Ｃ＿ＳＡには、ＡＴＳ＿Ｃが記録されたＡＯＴＴ＿ＶＯＢＳの最初の論理ブロックからの相対論理ブロック番号で表したＡＴＳ＿Ｃのスタートアドレスが、記述される。
【０２１３】
ＡＴＳがＡＯＴＴ＿ＡＯＢＳを持つ場合、上記ＡＴＳ＿Ｃ＿ＥＡには、      ＡＴＳ＿Ｃが記録されたＡＯＴＴ＿ＡＯＢＳの最初の論理ブロックからの相対論理ブロック番号で表したＡＴＳ＿Ｃのエンドアドレスが、記述される。
【０２１４】
一方、ＡＴＳがＡＯＴＴ＿ＡＯＢＳを持たない場合、上記ＡＴＳ＿Ｃ＿ＥＡには、ＡＴＳ＿Ｃが記録されたＶＴＳＴＴ＿ＶＯＢＳの最初の論理ブロックからの相対論理ブロック番号で表したＡＴＳ＿Ｃのエンドアドレスが、記述される。
【０２１５】
図２９は、図１の光ディスク（ＤＶＤオーディオディスク）から図３のオーディオゾーンの記録情報あるいは図４のビデオゾーンの記録情報を再生する装置の一例を示すブロック図である。この再生装置は、オーディオだけでなくビデオ再生も可能なＤＶＤビデオ・ＤＶＤオーディオコンパチブルプレーヤの構成を取っている。（具体的な構成の説明は省略するが、このプレーヤは既存のＣＤ再生とコンパチブルでもよい。）
図２９の光ディスク再生装置は、ユーザ操作を受け付けるリモートコントローラ５、リモートコントローラ５の操作状況を受信するリモートコントローラ受信部４Ａ、再生装置本体側でユーザ操作を受け付けるキー入力部４、およびユーザによる操作結果やＤＶＤオーディオディスク１０の再生状況等をユーザに通知するもので再生装置本体（および／またはリモートコントローラ）に設けられたパネル表示部４Ｂを備えている。それ以外の外部装置としては、モニタ部６およびスピーカー部８Ｌ／８Ｒが用意されている。（図示したスピーカ部は２チャネルステレオの場合であるが、マルチチャネル再生を行なう場合は必要数のスピーカシステムおよびその駆動アンプを別途用意することになる。）
キー入力部４、パネル表示部４Ｂ、リモートコントローラ５およびモニタ部  ６は、視覚上のユーザーインターフェイスを構成している。モニタ部６は、スチル画付ＤＶＤオーディオディスクの再生映像モニタとして使用されるだけでなく、オンスクリーンディスプレイＯＳＤ等の表示手段としても利用される。このモニタ部６は、直視型のＣＲＴディスプレイ、液晶ディスプレイ、プラズマディスプレイに限定されるものではなく、直視型ディスプレイの他に、大スクリーンにＯＳＤ情報を含む種々な映像（メニュー画面、録音現場の状況を撮影したスチル画その他）を投射するビデオプロジェクタであってもよい。
【０２１６】
リモートコントローラ５からのユーザ操作情報は、リモートコントローラ受信部４Ａを介して、再生装置全体の動作を制御するシステム制御部５０のマイクロコンピュータ（ＭＰＵまたはＣＰＵ）５００に通知される。この制御部５０は、ＭＰＵ５００により実行される制御プログラム等を格納したＲＯＭ５０２も含んでいる。
【０２１７】
キー入力部４からのユーザ操作情報は、ＭＰＵ５００に直接通知される。このＭＰＵ５００によって、ユーザ操作情報に対応した再生装置の動作状況（各種設定状態やＤＶＤディスクの再生情報）が、適宜、パネル表示部４Ｂに表示される。
【０２１８】
ＭＰＵ５００には、ＲＡＭ５２およびメモリインターフェイス（メモリ      Ｉ／Ｆ）５３が接続されている。このＲＡＭ５２の入出力制御は、メモリ      Ｉ／Ｆ５３を介して行われる。ＭＰＵ５００は、ＲＡＭ５２をワークエリアとして使用し、ＲＯＭ５０２に格納された各種処理プログラムに基づいて、ディスクドライブ部３０、システムプロセサ部５４、ビデオデコーダ部５８、オーディオデコーダ部６０、副映像デコーダ部６２、およびＤ／Ａ変換・再生処理部６４の動作を制御する。
【０２１９】
ディスクドライブ部３０は、再生装置本体のトレイ（図３０のＤＩＳＫ・    ＴＲＡＹ・ＩＮＬＥＴの内部）にセットされたディスク１０を回転駆動するとともに、ディスク１０から記録データ（音声／音楽情報を含むオーディオデータの他、ディスク１０に記録されておれば、動画情報／静止画情報を含む主映像データ／ビデオデータ、字幕情報／メニュー情報を含む副映像データ等）を読み出す。読み出されたデータは、ディスクドライブ部３０において、信号復調およびエラー訂正等の信号処理を受け、パック形式のデータ列（図６〜図８参照）となって、システムプロセサ部５４に送られる。
【０２２０】
システムプロセサ部５４は、ディスク１０から再生されたデータに含まれる種々なパケットの種別を判断して、そのパケット内のデータを対応する各デコーダ（５８〜６２）へ配送するパケット転送処理部（図示せず）を有している。
【０２２１】
このパケット転送処理部は、ディスクドライブ部３０からのパック形式データ列を、パックの種類（ナビゲーションパック、ビデオパック、副映像パック、オーディオパック、リアルタイム情報パック、およびスチル画パック）毎に切り分ける。切り分けられたパックそれぞれには、転送時間データおよびデータの種類を示すＩＤデータが記録されている。
【０２２２】
システムプロセサ部５４は、これらの転送時間データおよびＩＤデータを参照して、ビデオパック、副映像パック、およびビデオパックを、それぞれ、ビデオデコーダ部５８、副映像デコーダ部６２、およびオーディオデコーダ部６０へ、転送する。なお、スチル画パックはビデオデコーダ部５８に送られる。サイレントセルに相当するオーディオパックあるいはリアルタイム情報パックは、オーディオデコーダ部６０に送られる。
【０２２３】
また、システムプロセサ部５４は、ナビゲーションパック内の制御データを、メモリＩ／Ｆ５３を介してＲＡＭ５２に転送する。ＭＰＵ５００は、転送されたＲＡＭ内の制御データを参照して、再生装置本体の各部の再生動作を制御する。
【０２２４】
ビデオデコーダ部５８は、システムプロセサ部５４から転送されてきたビデオパック内のＭＰＥＧエンコードされたビデオデータをデコードし、圧縮前の映像データを生成する。
【０２２５】
副映像デコーダ部６２は、システムプロセサ部５４から転送されてきた副映像パック内のランレングス圧縮された副映像データをデコードし、圧縮前のビットマップ副映像データを生成する。
【０２２６】
この副映像デコーダ部６２には、システムプロセサ部５４からの副映像データをデコードする副映像デコーダの他に、デコード後の副映像データに対してハイライト処理（ＤＶＤビデオの場合）部が設けられている（図示せず）。
【０２２７】
上記副映像デコーダは、所定の規則にしたがってランレングス圧縮された所定ビット（２ビット）単位の画素データ（強調画素、パターン画素、背景画素等を含む）を伸長し元のビットマップ画像を復元するものである。
【０２２８】
上記図示しないハイライト処理部は、ＭＰＵ５００から供給されるハイライト情報（たとえばメニュー選択選択項目）が表示される矩形領域を示すＸ・Ｙ座標値、色コード、およびハイライト色／コントラスト値に応じて、対応するハイライト処理を行うものである。
【０２２９】
このハイライト処理は、モニタ部６上での視覚的なユーザーインターフェイスにおいて、ユーザが表示された特定のアイテム（再生音声言語の種類や再生字幕の使用言語の種類等の特定項目を選択するボタン；あるいは再生音のサンプリング周波数や量子化ビット数や再生チャネル数等の特定項目を選択するボタン）を容易に認知できるようにする手段として利用できる。
【０２３０】
デコード後の副映像データの画素毎の色とコントラストが前記ハイライト情報に応じて変更されると、この変更後の副映像データはビデオプロセサ部６４０内の画像合成部（図示せず）に供給される。この画像合成部においてデコード後の画像データとハイライト処理後の副映像データが合成され、その合成画像がモニタ部６で表示されるようになる。
【０２３１】
前述したＲＡＭ５２は、副映像メニュー、オーディオメニュー、アングルメニュー、チャプター（プログラム）メニューなどのスタートアドレスを格納するメニューテーブルを含んでいる。これらのメニューの特定部分を強調するのに、前記ハイライト処理が利用される。
【０２３２】
オーディオデコーダ部６０は、システムプロセサ部５４から転送されてきたオーディオパック内のオーディオデータをデコードし、モノラル、２チャネルステレオ、あるいは多チャネルステレオの音声データを生成する。オーディオパック内のオーディオデータが圧縮エンコードされたデータ（ＭＰＥＧ、ＡＣ−３等）の場合はそのデコード処理もオーディオデコーダ部６０内部で実行される。
【０２３３】
ビデオデコーダ部５８でデコードされた映像データ（通常は動画信号）および副映像デコーダ部６２でデコードされた副映像データ（通常は字幕またはメニューのビットマップデータ）は、ビデオプロセサ部６４０に転送される。このビデオプロセサ部６４０内において、映像データと副映像データは所定の割合で混合され、最終的なアナログ映像信号（コンポジットビデオ信号、セパレートＳ信号、あるいはコンポーネント信号Ｙ／Ｃｒ／Ｃｂ）となって、モニタ部６に出力される。
【０２３４】
ビデオデコーダ部５８でデコードされた映像データがＤＶＤビデオディスク  １０の映画の本編部分のときは、副映像データは通常はユーザが選択した言語の字幕であり、字幕入りの映画本編がモニタ部６で上演される。
【０２３５】
ビデオデコーダ部５８でデコードされた映像データが映画のメニュー部分のときは、副映像データは通常はメニューを構成する文字およびユーザ選択ボタン  （適宜ハイライト処理される）となる。この場合は、映像データによりメニューの背景（静止画または動画）がモニタ部６に表示され、副映像データによりユーザ選択操作に対応して表示が変化するボタンが背景画の上に重なって表示される。
【０２３６】
一方、ビデオデコーダ部５８でデコードされた映像データがＤＶＤオーディオディスク１０のスチル画であるときは、副映像データは、たとえばユーザが選択した言語の解説テキストであり、その場合はテキスト入りのスチル画がモニタ部６に表示される。
【０２３７】
なお、ビデオプロセサ部６４０はオンスクリーンディスプレイの表示データを発生するＯＳＤ部を含んでいる。リモートコントローラ５等からのユーザ操作はＭＰＵ５００で処理され、その処理結果はＭＰＵ５００からビデオプロセサ部  ６４０のＯＳＤ部に送られる。ＯＳＤ部は、ＭＰＵ５００からの処理結果に対応した画像データを発生し、それをアナログ映像信号形式でモニタ部６に送出する。
【０２３８】
別の言い方をすれば、ビデオプロセサ部６４０は、ビデオデコーダ部５８および副映像デコーダ部６２から出力されたディジタル信号をアナログ信号に変換し多重化する部分といえる。
【０２３９】
ビデオプロセサ部６４０には、フレームメモリ部６４２が接続されている。このフレームメモリ部６４２は、上記映像データの画像および副映像データの画像の多重化に使用されるほか、ｎ分割（たとえば４分割）マルチ画面表示にも利用される。
【０２４０】
このフレームメモリ部６４２は、チャプターサーチ等が行われる場合において、ビデオデコーダ部５８からの映像の一部をスチル画として固定し、ターゲットチャプターの再生が始まるまでこのスチル画をモニタ部６に送る場合に、使用することができる。
【０２４１】
さらに、このフレームメモリ部６４２は、ユーザ操作結果に対応した表示を  ＯＳＤにより行なう場合に、そのＯＳＤ表示の映像データへの多重化を行なうときにも、利用することができる。
【０２４２】
オーディオデコーダ部６０でデコードされたオーディオデータは、ＤＡＣ・出力回路６４４に転送される。ＤＡＣ・出力回路６４４によりオーディオデコーダ部６０からのオーディオデータ（デジタル）は対応するアナログ音声信号に変換され、適宜増幅されて、スピーカ部８Ｌ／８Ｒに送られる。
【０２４３】
図２５で説明したオーディオタイトルセット情報管理テーブルＡＴＳＩ＿    ＭＡＴ内のＡＴＳ＿ＤＭ＿ＣＯＥＦＴの書き込みに基づき多チャネルオーディオを２チャネルにダウンミックスする場合、そのダウンミックスの係数（パラメータ）はＭＰＵ５００からＤＡＣ・出力回路６４４に送られる。すると、ＤＡＣ・出力回路６４４は、送られてきた係数に基づきオーディオデコーダ部６０でデコードされた多チャネルオーディオデータを２チャネルにミックスダウンし、２チャネルのアナログオーディオ信号を出力する。
【０２４４】
前記ビデオプロセサ部６４０、フレームメモリ部６４２およびＤＡＣ・出力回路６４４は、Ｄ／Ａ変換および再生処理部６４を構成している。
【０２４５】
なお、システムプロセサ部５４、ビデオデコータ部５８、オーディオデコーダ部６０および副映像デコーダ部６２は、それぞれ、動作タイミングを知るためのシステムタイムクロック（ＳＴＣ）およびシステムＭＰＵ５００からの指令・情報等を一時格納するレジスタを含んでいる。
【０２４６】
図３０は、図２９の再生装置のフロントパネルの一例を示す。このフロントパネルには、図２９のパネル表示部４Ｂに対応する蛍光表示部（ＦＬディスプレイ）４Ｂが設けられている。
【０２４７】
図３０のＦＬディスプレイ４Ｂには、ＡＭＧＩのオーディオテキストデータマネージャＡＴＸＴＤＴ＿ＭＧにしたがって、アルバム名および／またはグループ名が文字で表示される。図９の例でいえば、アルバム名として「ベートーベン作品集第１巻」が表示され、グループ名としてたとえば「交響曲第１番」が表示される。
【０２４８】
また、ＦＬディスプレイ４Ｂの左側数字表示部には、タイトル番号（ＤＶＤビデオの場合）あるいはグループ番号（ＤＶＤオーディオの場合）、トラック番号、およびインデックス番号が表示される。
【０２４９】
また、図３０のディスクトレイにセットされた光ディスク１０がＡＶディスクである場合（図２０のＡＴＴ＿ＳＲＰを持つディスク）、ＦＬディスプレイ    ４Ｂの右側やや中央よりの文字表示部において、図示するように、「ＡＶディスク」の部分が目立つように表示される。セットされたディスクがＡディスクである場合（図２２のＡＯＴＴ＿ＳＲＰを持つディスク）、ＦＬディスプレイ４Ｂの右側文字表示部において、「Ａディスク」の部分が目立つように表示される。セットされたディスクがＡＴＳを持たずＶＴＳだけのビデオディスクである場合  （図１２のＡＴＳディレクトリがないディスク）、ＦＬディスプレイ４Ｂの右側文字表示部において、「ビデオディスク」の部分が目立つように表示される。
【０２５０】
さらに、ＦＬディスプレイ４Ｂの右側数字表示部には、これから再生されるオーディオコンテンツのサンプリング周波数および量子化ビット数が表示される。この表示は、オーディオタイトルセット情報管理テーブルＡＴＳＩ＿ＭＡＴ中のＡＯＴＴ＿ＡＯＢ＿ＡＴＲまたはＡＯＴＴ＿ＶＯＢ＿ＡＲＴの内容に基づいて、自動的に実行できる。
【０２５１】
ところで、ＤＶＤオーディオディスク（ＡディスクまたはＡＶディスク）    １０を再生するＤＶＤオーディオプレーヤには、次の2 種が考えられる。
【０２５２】
＜Ｃ１＞オーディオ規格の画と音を再生できるするプレーヤ、すなわち      ＡＯＴＴとＡＶＴＴの両方を扱うプレーヤ。
【０２５３】
＜Ｃ２＞オーディオ規格の音だけを再生できるプレーヤ、すなわちＡＯＴＴだけを扱うプレーヤ。
【０２５４】
上記＜Ｃ１＞タイプのプレーヤは、コンテンツ再生のためにはＡＴＴ＿      ＳＲＰＴに記述されたサーチ情報（図２０）だけを読み込めばよい。
【０２５５】
一方、上記＜Ｃ２＞タイプのプレーヤは、コンテンツ再生のためには        ＡＯＴＴ＿ＳＲＰＴに記述されたサーチ情報（図２２）だけを読み込めばよい。
【０２５６】
このようにすれば、各タイプのプレーヤでの再生方法が簡単になる。当然ながら、＜Ｃ２＞タイプのプレーヤは図２３におけるＡＴＴ＃1 、＃9 の部分は    ＡＯＴＴがないため再生できない。
【０２５７】
前述した図２９のＤＶＤオーディオプレーヤは、上記＜Ｃ１＞タイプのプレーヤである。このプレーヤの動作を、図１４のデータ構造を持つディスク１０を再生する場合について説明する。
【０２５８】
図１４のデータ構造を持つディスク１０を通常のＤＶＤビデオプレーヤで再生する場合、このビデオプレーヤは、図１２のルートディレクトリ下のＶＴＳディレクトリ内のＶＭＧを読み込み、その情報によって再生するタイトルを決定する。そして、決定したタイトルに対応するＶＴＳ中で定義された再生ユニットの指示にしたがって、図１４のオブジェクトセットＶＯＢS ＃１あるいはＶＯＢS   ＃２の全てあるいは一部が再生される。
【０２５９】
図１４のデータ構造において、ビデオプレーヤにとっては、ＶＭＧ、        ＶＴＳ＃１、ＶＴＳ＃２以外の部分は他記録エリア７３（図３、図４）として認識される。このため、他記録エリア７３と認識された部分にどのようなデータが記述されていてもビデオプレーヤがＶＯＢＳ＃１、ＶＯＢＳ＃２を再生する時の動作には影響しない。この場合、他記録エリア７３に存在するオブジェクトはビデオプレーヤでは再生できない。
【０２６０】
一方、図１４のデータ構造を持つディスク１０を図２９のＤＶＤオーディオプレーヤで再生する場合では、このオーディオプレーヤは、図１２のルートディレクトリ下のＡＴＳディレクトリ内のＡＭＧを読み込み、その情報に基づいてコンテンツを再生する。ＡＭＧによるタイトル指定においては、ＤＶＤオーディオゾーン７１（図３）に記録されているＡＴＳ内で定義された再生ユニットの指定はもちろんのこと、ＤＶＤビデオゾーン７２（図４）に記録されたＶＴＳ内で定義された再生ユニットも指定可能である。
【０２６１】
ＡＴＳ内で定義される再生ユニットは、ＤＶＤオーディオゾーン７１に記録されているオブジェクト（ＡＯＢＳ＃１またはＡＯＢＳ＃２）の再生経路を指定するばかりでなく、ＤＶＤビデオゾーン７２のオブジェクト（たとえば          ＶＯＢＳ＃１）に記録されているオーディオデータの再生経路を指定することも可能である。
【０２６２】
図１４中の斜線でマークされたＶＯＢＳ＃１は、ＤＶＤオーディオ側から共用化されたＤＶＤビデオの一部分を例示している。ここで、矢印（ア）はビデオゾーン７２の再生ユニットが参照された場合を示し、矢印（イ）はオーディオゾーン７１の再生ユニットからビデオゾーン７２のオブジェクト（ＶＯＢＳ＃１）のオーディオ部分が参照された場合を示す。
【０２６３】
ビデオゾーン７２のオブジェクト（ＶＯＢＳ＃１）のオーディオ部分がオーディオゾーン７１の再生ユニットによって参照される場合、この共通参照部分    （ＤＶＤオーディオとＤＶＤビデオとで共有化する部分）は、再生ユニットの定義情報（ＡＴＳＩ）によって、ビデオゾーン７２内での再生ユニットの定義情報（ＶＴＳＩ）によって定義された各単位（セル、プログラム、プログラムチェーン）と異なった定義をすることも可能である。これは、同じオブジェクトであってもビデオプレーヤとしての再生方法とオーディオプレーヤとしての再生方法が異なる可能性があるからである（図５参照）。
【０２６４】
なお、上記共有化部分は、ビデオオブジェクトユニットＶＯＢＵを単位として使用される。その理由は、図８に示されるように、オーディオデータストリームおよびその他（ビデオ、副映像）のデータストリームがそれぞれパック化されて時分割多重される単位が、ＶＯＢＵだからである。
【０２６５】
図１４に示すように、オーディオゾーン７１をビデオゾーン７２より物理的に先に配置することによって、それぞれの管理情報から指定される再生ユニットのアドレスを全て正方向のアドレス指定だけに限定できる。こうすることにより、オーディオプレーヤの設計開発を簡易化できる。
【０２６６】
なお、図１６のデータ構造におけるビデオプレーヤの動作は、上述した図    １４の場合と同じである。
【０２６７】
図１６のデータ構造におけるオーディオプレーヤの動作も、図１４の場合とほぼ同じである。オーディオプレーヤはＡＭＧの先頭に飛んで管理情報を読み込み、オブジェクトセットＡＯＢＳ＃１、ＡＯＢＳ＃２を再生する。ＡＯＢＳ＃１はＤＶＤビデオゾーン内のオブジェクトであるが、ＡＴＳＩ＃１によって、      ＡＯＢＳ＃１のセル、プログラムおよびプログラムチェーンが再定義される。なお、ＡＯＢＳ＃１もＶＯＢＵを単位として使用される。
【０２６８】
以上述べた実施の形態では、ボリュームスペース２８に含まれるＤＶＤオーディオデータおよび／またはＤＶＤビデオデータが光ディスク１０に記録される場合で説明を行った。しかしながら、この発明のデータ構造（図３〜図２８）は光ディスク１０に記録される場合に限定されない。たとえば、図３および図１２に示すような構造のデータを含むビットストリームをデジタル放送あるいはデジタル通信してもよい。（この場合は、電波あるいは通信ラインが媒体として機能する。またＤＶＤ放送受信器あるいはパーソナルコンピュータ等の通信端末が、  ＤＶＤオーディオプレーヤとして機能することになる。）
以上、この発明を適用できるシステムを全般的に説明したが、次にこの発明において特に主張している点をまとめて説明することとする。
【０２６９】
ポイントとなる点は、ＤＶＤオーディオにおけるセル構造に特徴を持たせた点である。まず、ＤＶＤオーディオには、取り扱うデータの種類によって次の２種類がある。
【０２７０】
[A-1] ビデオを伴うオーディオ（Audio with Video）: 音声データと画像データの両方を取り扱うシステム。
【０２７１】
[A-2] ビデオ無しオーディオ（Audio without Video ）: 音声データのみ取扱い, 画像データは取り扱わないシステム。である。
【０２７２】
上記の[A-1] タイプのデータ構造は基本的には前述したＤＶＤ規格と同等である。本発明で対象としているのは上記の[A-2] タイプのオーディオのデータ構造に関する。ＤＶＤオーディオシステムのためのディスクは先に説明したような構造である。ディスクの片面全体はボリウムと定義されている。タイトルグループ（ＴＴ＿ＧＲ）は，ボリウムの構成要素であり、1 個以上のオーディオタイトル（ＡＴＴ）から構成される。ＴＴ＿ＧＲはレコードやＣＤでいうところのアルバムである。ひとつのＴＴ＿ＧＲ中のトラック（Track ）群は再生の連続性が保証される。
【０２７３】
ＡＴＴには次の2 種類がある。即ち、
[B-1]   Audio with Video Title（ＡＶＴＴ）: 音声データと画像データから成るタイトル
[B-2]Audio Only Title （ＡＯＴＴ） :音声データのみから成るタイトルである。ＡＶＴＴとＡＯＴＴの総称がＡＴＴである。上記のように本発明は[A-2] タイプのデータ構造を対象としているから, ＡＯＴＴに関して以下説明する。1 個のＡＯＴＴは１個のＰＧＣによって形成される。より詳しくいうと図３で示すように, １個のＡＯＴＴは，ＡＴＳ中のプログラムチェーン情報（ＡＴＳ＿        ＰＧＣＩ）と, それに対応するＡＴＳ中のオーディオオブジェクトセット      （ＡＯＢＳ）の１個以上のセル（Cell）により構成される。トラック（Track ）はＰＧＣ内で定義されるプログラム（ＰＧ）である。ひとつのトラック（Track ）はひとつのＰＧから構成される。そしてトラックは１個以上のセル（Cell）から構成される。
【０２７４】
一般的に, オーディオコンテンツにおいては, トラックは曲, セルは曲中の番号を区切る一つの単位として使われる。オーディオコンテンツの再生は, セルの再生順を指定する事で定義される。
【０２７５】
上記した[A-2] タイプのオーディオデータ構造では以下の仕様が要求される。[C-1] …１個のトラック（Track ）再生ごとに1 個のスチルピクチャ（Still picture ）がオプション再生可能であること、
[C-2] …音声データの属性をトラック（Track ）ごとに設定することが可能なこと。
【０２７６】
[C-1] について: 上記[A-2] タイプの説明においては「音声データのみ取扱い, 画像データは取り扱わない」と記したが、１個のトラック（Track ）について  １個の静止画( スチルピクチャ) がオプションで付加できることが, 必要な仕様である。スチルピクチャデータ付きのトラック（Track ）を映像出力機能を持ったオーディオプレーヤで再生すると、音声出力と共に静止画像が出力される。スチルピクチャデータなしのトラック（Track ）をオーディオプレーヤで再生させた時は静止画像は出力しないし, また映像出力機能を持たないオーディオプレーヤでスチルピクチャデータ付きのトラック（Track ）を再生した時は, 静止画像のデータをスキップあるいは無視する事で静止画像は出力しない。
【０２７７】
[C-2] について: 音楽ＣＤでは１枚のアルバム中の各曲の属性( サンプリング周波数:fs,量子化ビット数:Qb など) はすべて同一である。しかし, ＤＶＤオーディオでは音源の自由度を高めるために各曲ごとに属性を設定できるようにした。すなわち, コンテンツプロバイダは各トラック（Track ）ごとに属性を設定できる。ＤＶＤオーディオにおけるトラック（Track ）ごとの属性としては, たとえばサンプリング周波数, 量子化ビット数, チャネルのアサインメント, ダウンミクス係数などがある。
【０２７８】
上記したように項目[C-1],[C-2] の仕様を満たすオーディオデータをプレーヤで再生させる時には、トラック（Track ）の再生開始時に音切れの問題が発生する。しかしながらコンテンツとして見た場合, 音切れの時間も製作者の意図によって管理されるべきであり, 更に前述したように, ビデオの再生機能を持つプレーヤにおいても持たないプレーヤにおいても, 音切れ時間長は同一であるべきである。従ってこの発明では、製作者が音切れの発生時間長を自分で設定できるようなデータ構造を提供すると共に, 製作者によって定義された再生手順の中で, 音切れの有無を予めプレーヤが認識し, なおかつ製作者が定めた音切れ時間長の設定を実現するためのデータ構造を提供している。
【０２７９】
まず, 静止画は一つの曲の開始から終了の間までずっと再生し続けなければならない。従ってプレーヤは、 一つのトラック(Track) のオーディオデータの読み込みに先立って静止画データを読み込む必要がある。よって、 プログラムチェーン上で一つのプログラムを構成するセル(Cell)群の先頭がスチルピクチャデータのセルでなければならない。
【０２８０】
ここで, オーディオデータと静止画データをＭＰＥＧプログラムストリームの規格に則ってマルチプレクスしてデータを記録すれば先立った読み込みは必要ないが, 高品質オーディオを実現する為にはオーディオデータのビットレートを最大限に上げる必要がある為, もし静止画区間に低いビットレートのオーディオデータをマルチプレクスしたとしても, 静止画区間の属性と静止画区間に続くオーディオデータの属性( ビットレート等) が異なるため, その変わり目で音切れが発生する事になる。更に, 実際にはマルチプレクスは, 固定長の静止画データパックがオーディオデータパック列の中に混在するという形をとるため, 静止画データが大きいということはこの混在期間が長いということと同じになる。従ってこの音切れが発生する時間は, 静止画データの大きさに依存し, 発生時間を制御する事が困難となる。このような不具合の発生を防ぐために静止画データを独立して記録する構造としている。
【０２８１】
例えば連続再生で, あるトラック（Track ）からスチルピクチャデータ付きの新しいトラック（Track ）に再生が遷移する時, まず最初にスチルピクチャデータの読み込みが行われるため, その間、オーディオデータの読み込みが停止して再生の音切れが生ずる。さらに, 一つのタイトルグループ（ＴＴ＿ＧＲ）中に静止画ありのトラック（Track ）と静止画なしのトラック（Track ）が混在するような場合, 再生動作中にこの音切れが生じたり生じなかったりする。
【０２８２】
上記で述べた音切れは再生遷移する2 つのトラック（Track ）の属性が異なる場合にも発生する。即ち、ある属性を持ったトラック（Track ）をプレーヤが再生していて, 次に再生するトラック（Track ）の属性が前のトラック（Track ）と異なる場合、プレーヤは、そのハードウェア的に各種再設定（量子化ビット数の相違から影響を受けるバッファの設定、クロック（サンプリング）周波数の設定、チャンネル数の設定など）を行わなければならず, この間データ転送は停止するのでやはり音切れが生ずる。当然この音切れは再生遷移する２つのトラック（Track ）の属性が同じ場合には生じない。従って上記の場合と同じように, 一つのタイトルグループ（ＴＴ＿ＧＲ）中で音切れが生じたり生じなかったりする場合があり得る。
【０２８３】
この音切れは物理的原因によるものなのでアプリケーションレベルのデータ構造では解消することはできない。従って本システムでは, 上記述べてきた音切れの存在を積極的に認め, コンテンツプロバイダが, 音切れ時間長を管理することができるようなデータ構造を構築している。そしてその結果, ユーザーが再生時に不自然さを感じないような形にしている。
【０２８４】
この解決のために、まずセルのタイプを以下のように定義している。
【０２８５】
[D-1] オーディオセル：Audio Cell（Ａ＿Ｃ）: 一般のオーディオデータから成るセル。
【０２８６】
[D-2] サイレントセル：Silent Cell （ＳＩ＿Ｃ）: 無音のみのオーディオデータから成るセル。
【０２８７】
[D-3] スチルピクチャセル：Still picture Cell（ＳＰＣＴ＿Ｃ）: 静止画データから成るセル。
【０２８８】
そして、セルの構成内容を識別するためのデータ識別情報を, セル情報に加え、この３種類のセルを識別する事を可能とした。ここで無音とはオーディオデータが存在しないのではなく, 振幅レベル零のオーディオデータを意味する。
【０２８９】
図３１は、上記３つのセルのタイプの分類構造を示している。
【０２９０】
オーディオデータセルのオーディオ（Ａ＿Ｃ）には、静止画データは含まれない。サイレントセル（ＳＩ＿Ｃ）は，オーディオデータセルの中の特殊な場合に相当しで、オーディオデータがすべて無音である。サイレントセルはは無音の時間長を設定管理するために使用される。スチルピクチャセル（ＳＰＣＴ＿Ｃ）は，静止画データ転送のために使用され，オーディオデータは含まない。
【０２９１】
一つのＡＴＳ＿ＰＧは，１個以上のＡＴＳ＿Ｃから構成される。ここで,     ＡＴＳ＿ＰＧがトラック（Track)に相当し、ＡＴＳ＿Ｃがセルに相当する。
【０２９２】
図３２には、ＡＴＳ＿ＰＧ中のＡＴＳ＿Ｃの３種類の並び方を示している。即ち
[E-1] …ＡＴＳ＿ＰＧは，Ａ＿Ｃのみの並びで構成される。
【０２９３】
[E-2] …ＡＴＳ＿ＰＧの１番目のセルは、ＳＩ＿Ｃであり，２番目以降のセルはすべてＡ＿Ｃが並んで構成される。
【０２９４】
[E-3] …ＡＴＳ＿ＰＧの１番目のセルは、ＳＰＣＴ＿Ｃであり，２番目のセルはＳＩ＿Ｃであり, ３番目以降のセルはすべてＡ＿Ｃの並びで構成される。
【０２９５】
さらに, 一つのＡＴＳ＿ＰＧを構成するすべてのＡＴＳ＿Ｃは以下の条件を満足して構築される。
【０２９６】
[F-1] …一つのＡＴＳ＿ＰＧを構成するすべてのＡＴＳ＿Ｃは物理的に連続して配置される。
【０２９７】
[F-2] …一つのＡＴＳ＿ＰＧを構成するすべてのＡＴＳ＿Ｃのプレゼンテーションタイムスタンプ：presentation time stamp （ＰＴＳ）は連続である。
【０２９８】
[F-3] …一つのＡＴＳ＿ＰＧには少なくとも１個のＡ＿Ｃが存在する。
【０２９９】
[F-4] …一つのＡ＿Ｃのプレゼンテーションタイムは、１秒以上である。
【０３００】
[F-5] …一つのＡＴＳ＿ＰＧを構成するすべてのＳＩ＿ＣとＡ＿Ｃ群のオーディオ属性は同一である。
【０３０１】
[F-6] …一つのＳＩ＿Ｃのプレゼンテーションタイムは、0.5 秒以上である。
【０３０２】
[F-7] …一つのトラック（Track ）が静止画データを持つ場合、ＳＰＣＴ＿Ｃに記録された静止画は, オーディオギャップ（ Audio Gap）期間中に出画するようにする。
【０３０３】
[F-8] …静止画データを転送するために発生するオーディオギャップの長さは  0.5 ないし0.6 秒である。このＤＶＤオーディオでは、上記のオーディオギャップを定義している。これは、オーディオギャップ期間の長さは、１オーディオフレーム時間長の整数倍に設定することにもなる。
【０３０４】
図３３、図３４、図３５、図３６は、オーディオギャップの定義のために、前もって、ＡＯＴＴ＿ＡＯＢとＡＯＴＴ＿ＡＯＢＳについて説明する図である。図において、Ａ＿ＰＡＫはオーディオパック、ＲＴＩ＿ＰＡＣは、リアルタイム情報パックを意味する。
【０３０５】
前述のように, ターゲットとするタイトルは、項目[B-2] で述べたタイプの  ＡＯＴＴであり, 従ってデータの実体であるオーディオオブジェクトは、オーディオのみのタイトルのためのオーディオオブジェクト（Audio Object for Audio Only Title（ＡＯＴＴ＿ＡＯＢ））である。ＡＯＴＴ＿ＡＯＢは1 個以上のＡＴＳ＿Ｃから構成され, それぞれのＡＴＳ＿Ｃは，パック群から構成される。
【０３０６】
ＡＯＴＴ＿ＡＯＢに含まれるデータは，オーディオデータと静止画データである。オーディオデータは無音( 前述のように振幅レベル零ということ) の音声データを含むし, また特殊な例としてテキストデータのような若干の非画像の付加的データ( これをリアルタイム情報（Real Time Information ）データと呼ぶことにする) をもＲＴＩパックの形で含む。
【０３０７】
ＡＯＴＴ＿ＡＯＢは、オーディオデータを含まねばならず、そして１つの    ＡＯＴＴ＿ＡＯＢの中のオーディオデータの属性はすべて同一でなければならない。静止画データは、ＡＯＴＴ＿ＡＯＢ中にオプションで含まれ, 一つのプログラム（ＰＧ）中に含まれる静止画は, そのプログラム中のオーディオデータが再生される前に出画しなければならない。
【０３０８】
一つのＡＯＴＴ＿ＡＯＢは「The system part of the MPEG-2 standard(ISO/IEC 13818-1) 」で記述される一つのプログラムストリームまたはその一部分である。ＡＯＴＴ＿ＡＯＢＳはＡＯＴＴ＿ＡＯＢの集合体である。先に[D-1] 〜[D-3] で定義したのと同様に, 一つのＡＯＴＴ＿ＡＯＢ中のセルとして次の３種類が定義されている。
【０３０９】
[G-1]   オーディオセル（Audio Cell( Ａ＿Ｃ) ）はオーディオデータのパック（pack）群のみ（図３３参照）, あるいはオーディオデータのパック群と、付加的非映像データ( ＲＴＩデータ) のパック群から構成され（図３４参照）, そのプレゼンテーションタイム(presentation time）は1 秒以上である。
【０３１０】
[G-2]   サイレントセル（Silent Cell(ＳＩ＿Ｃ) ）は無音のみのオーディオデータパック群から構成され（図３５参照）, 無音期間の設定のために使用される。一つのＳＩ＿Ｃのプレゼンテーションタイムは０．５秒以上である。
【０３１１】
[G-3]   スチルピクチャセル（Still picture Cell( ＳＰＣＴ＿Ｃ) は静止画データのパック群のみから構成され（図３６参照）, ＳＰＣＴ＿Ｃに記録された静止画はオーディオギャップ（Audio Gap ）期間中に出画しなければならない。
【０３１２】
ここで上記した条件[G-3] と[F-1] により, ＳＰＣＴ＿Ｃは一つのＰＧ中の第1 番目のセルとしてしか存在しないことになる（図３６参照) 。
【０３１３】
ところで、オーディオギャップ（Audio Gap ）は、一つのＡＯＢ中でオーディオストリーム転送が不連続となる期間で, その長さは0.5 秒から0.6 秒の間である。このオーディオギャップは、以下のように定義される。
【０３１４】
[H-1]   ＳＰＣＴ＿Ｃを持つようなあるプログラム（ＰＧ）と, その一つ前のプログラム（ＰＧ）の関係が,
・2 つのＰＧは同一のＡＯＴＴ＿ＡＯＢに属する。
【０３１５】
・2 つのＰＧは物理的に連続に配置される。
【０３１６】
・2 つのＰＧの属性は同一である。
【０３１７】
という3 つの条件をすべて満たす場合は,
オーディオギャップ期間 =  「ＳＰＣＴ＿Ｃに続くＳＩ＿Ｃの1 番目のオーディオフレームのＰＴＳ値」−「一つ前のＰＧの最後のオーディオフレームの      ＰＴＳ値」−「オーディオフレーム  １個の時間」
[H-2]   ＳＰＣＴ＿Ｃを持つようなあるＰＧと, その一つ前のＰＧの関係が, 上記の[H-1] の３つの条件をひとつでも満たさない場合は,
オーディオギャップ期間 =  「ＳＰＣＴ＿Ｃに続くＳＩ＿Ｃの1 番目のオーディオフレームのＰＴＳ値」−「ＳＰＣＴ＿Ｃの1 番目のパックのＳＣＲ値」
なおＰＴＳは、各オーディオパックのパックヘッダに含まれている。そして、このＰＴＳは、オーディオパック内のオーディオデータの復号が行われた場合、装置内部のシステムクロックと当該ＰＴＳの一致が得られた時点で、データ出力のタイミングを得るために利用される。またシステムクロックリファレンス    （ＳＣＲ）は、ＰＧの先頭のパックヘッダに含まれており、このＳＣＲが到来すると装置内部の基準クロックがセットされることになる。
【０３１８】
オーディオストリーム転送が不連続となる期間は, 再生時間を定義するためのリファレンスとなるデータが存在しない。そこでその期間の時間長を, オーディオギャップ時間によって代替的に定義する。これにより再生時間の連続性を擬似的に保たせるためのものである。
【０３１９】
次に具体的にオーディオギャップの挿入方法を述べる。まず、ＰＧＣ上で隣り合う２つのＰＧの関係には次の４つの場合が考えられる。
【０３２０】
[I-1]   そのＰＧがＳＰＣＴ＿Ｃを持たず, なおかつそのＰＧと一つ前のＰＧが同じ属性を持つ場合。
【０３２１】
[I-2]   そのＰＧがＳＰＣＴ＿Ｃを持たず, なおかつそのＰＧと一つ前のＰＧの属性が異なる場合。
【０３２２】
[I-3]   そのＰＧはＳＰＣＴ＿Ｃを持ち, なおかつ先の項目  [H-1] の３つの条件をすべて満足する場合。
【０３２３】
[I-4]   そのＰＧはＳＰＣＴ＿Ｃを持ち, なおかつ先の項目  [H-1] の３つの条件をひとつでも満さない場合。
【０３２４】
である。
【０３２５】
ＰＧにはＰＧ内部のセルがもつオーディオデータの属性, 前のＰＧとの時間的関係等を定義するためのＰＧ情報が記述される。その内容とＰＧのセル構成( 再生順) 情報を認識する事で, 上記の項目[I-1] 〜[I-4] の４つの状態は簡単にプレーヤによって認識可能である。
【０３２６】
図３７乃至図４０には、上記の４つの場合での隣接する２つのＰＧにおける  ＰＴＳと再生時間およびオーディオギャップ（Audio Gap ）の関係を示す。
【０３２７】
図３７は、先の項目  [I-1] の場合を示している。同図（ａ）、（ｂ）、      （ｃ）は、トラック上のオーディオパックの並び（ＰＧ）と、プレゼンテーションタイムスタンプの値と、再生時間の経過を示している。この場合は、オーディオデータストリームの連続転送は保たれ, オーディオ再生もその連続性が保たれる。オーディオギャップは生じない。ＰＴＳはＰＧの先頭でリセットされる。
【０３２８】
この場合, ＰＧの１番目のセルがＳＩ＿Ｃである場合も考えられるが, この場合も状況には変わりはない。なぜならばＳＩ＿Ｃはオーディオセルの１種であって, 全オーディオデータが振幅レベル零であるという特殊な場合に過ぎないからである。
【０３２９】
図３８は、先の項目[I-2] の場合を示している。同図（ａ）、（ｂ）、      （ｃ）は、トラック上のオーディオパックの並び（ＰＧ）と、プレゼンテーションタイムスタンプの値と、再生時間の経過を示している。この場合は、オーディオデータストリームの連続転送は保たれ, オーディオギャップは生じない。しかし属性切換時のハードウェア再設定が必要なので, その間、オーディオ再生は不連続になる。
【０３３０】
この場合コンテンツ制作者は, ＰＧの１番目のセルをＳＩ＿Ｃにすることにより, 「音の出ない時間」という時間間隔を管理することができる。すなわちコンテンツ制作者は, ＳＩ＿Ｃの長さ(0.5秒以上) の設定により, 「音の出ない時間」という時間間隔を自分の思うままに設定することができる。
【０３３１】
図３７、図３８において隣接するＰＧ間でのＰＴＳを不連続に描いているが, この両者の場合はオーディオデータストリーム自体は連続であるから, ＰＴＳは連続であっても良い。
【０３３２】
図３９は、先の項目[I-3] の場合を示している。同図（ａ）、（ｂ）、      （ｃ）は、トラック上のオーディオパックの並び（ＰＧ）と、プレゼンテーションタイムスタンプの値と、再生時間の経過を示している。この場合は、        ＳＰＣＴ＿Ｃがあるためオーディオデータストリームの転送連続性は保たれず, オーディオギャップが生じる。このオーディオギャップ長は、先の項目  [H-1] で述べたように定義される。
【０３３３】
この場合、当然、オーディオ再生は不連続になるが、ＳＰＣＴ＿Ｃの次に置かれるＳＩ＿Ｃによって, 先の項目[I-2] と同じように音切れの時間（無音時間）を管理することができる。
【０３３４】
図４０は、先の項目[I-4] の場合を示している。同図（ａ）、（ｂ）、      （ｃ）は、トラック上のオーディオパックの並び（ＰＧ）と、プレゼンテーションタイムスタンプの値と、再生時間の経過を示している。この場合も、も      ＳＰＣＴ＿Ｃがあるためオーディオデータストリームの転送連続性は保たれず, オーディオギャップが生じる。オーディオギャップ長は、先の[H-2] で述べたように定義される。音切れ時間の管理については、先の項目[I-3] の場合と同様である。
【０３３５】
上述した方式のデータ構造のディスクを再生するプレーヤ（再生装置）とオーディオギャップ、及び特殊セルとの関係について説明する。
【０３３６】
本方式では, ＳＰＣＴ＿Ｃがある場合に, 映像再生機能を持つプレーヤと持たない再生装置での動作は同一である。すなわちどちらの再生装置においてもデータ読み込みのシーケンスは, ＳＰＣＴ＿Ｃの静止画データ, ＳＩ＿Ｃのオーディオデータ, Ａ＿Ｃのオーディオデータの順番である。映像再生機能を持つ再生装置は静止画データを復号して静止画を出力するし, 映像再生機能を持たない再生装置は静止画データを無視するだけである。従って両者の再生装置における音切れ時間長も同一であり, オーディオギャップ長とＳＩ＿Ｃのプレゼンテーション時間長によって決まる。
【０３３７】
上記した３種類のセルを系統立てて示すと以下のようになる。
【０３３８】
図４１において、オーディオゾーンは、オーディオマネージャファイル      （ＡＭＧ）、オーディオタイトルセット（ＡＴＳ）のファイルで構成される。オーディオタイトルセット（ＡＴＳ）は、オーディオタイトルセット情報        （ＡＴＳＩ）、オーディオオンリータイトル・オーディオオブジェクトセット  （ＡＯＴＴ＿ＡＯＢＳ）、オーディオタイトルセット情報のバックアップ      （ＡＴＳ＿ＢＵＰ）の各ファイルで構成される。
【０３３９】
オーディオタイトルセット情報（ＡＴＳＩ）は、オーディオタイトルセット情報管理テーブル（ＡＴＳ＿ＭＡＴ）と、オーディオタイトルセットプログラムチェーン情報テーブル（ＡＴＳ＿ＰＧＣＩＴ）のファイルで構成される。
【０３４０】
このＡＴＳ＿ＰＧＣＩＴは、オーディオタイトルセットプログラムチェーン情報テーブル情報（ＡＴＳ＿ＰＧＣＩＴＩ）、オーディオタイトルセットプログラムチェーン情報サーチポインタ（ＡＴＳ＿ＰＧＣＩ＿ＳＲＰ）、オーディオタイトルセットプログラムチェーン情報（ＡＴＳ＿ＰＧＣＩ）のファイルで構成される。
【０３４１】
ＡＴＳ＿ＰＧＣＩは、オーディオタイトルセットプログラムチェーン一般情報（ＡＴＳ＿ＰＧＣＩ＿ＧＩ），オーディオタイトルセットプログラム情報テーブル（ＡＴＳ＿ＰＧＩＴ），オーディオタイトルセットセルプレイバック情報テーブル（ＡＴＳ＿Ｃ＿ＰＢＩＴ）の各ファイルで構成される。
【０３４２】
各オーディオタイトルセットプログラムチェーン（ＡＴＳ＿ＰＧＣ）の中に記述されるそれぞれのオーディオタイトルセットセル再生情報（ＡＴＳ＿Ｃ＿    ＰＢＩ）中において, 変数として設定されている項目がある。この変数がオーディオタイトルセットセルタイプ、つまり、ＡＴＣ＿Ｃ＿ＴＹ( ＝ATS Cell      Type) である。そして、そのセルが
[J-1]   オーディオデータのみから構成されるオーディオセル（Ａ＿Ｃ）
[J-2]   オーディオデータとリアルタイム情報空なるオーディオセルＡ＿Ｃ）
[J-3]   振幅レベル零の無音オーディオデータのみからなるサイレントセル    （ＳＩ＿Ｃ）
[J-4]   静止画データのみから構成されるスチルピクチャセル（ＳＰＣＴ＿    Ｃ）
のどれに該当するかを指定している。
【０３４３】
また, 変数ＡＴＣ＿Ｃ＿ＩＸＮ(Index number of ATS Cell)は, そのセルが  ＳＩ＿ＣかまたはＳＰＣＴ＿Ｃである時は'00h' に指定する。そのセルがＡ＿  Ｃである場合はそのセルのインデクス番号('1'から'99') を指定する。
【０３４４】
再生装置は, これらの情報から各々のセルの種類が判るので, 予め音切れの有無を認識することができる。
【０３４５】
上記したようにこの発明によると以下のような効果を有する。
【０３４６】
まず，ＤＶＤ−Ａｕｄｏｉの仕様として，１トラック（ Track）に1 個の静止画をオプションで付加できること, およびオーディオ属性を各トラックごとに指定できることである。その結果生じる不具合として音切れがあり, これは静止画データ転送時にオーディオデータ転送が中断すること, およびオーディオ属性変更に伴う再生装置のハードウェアの環境再設定に必要な時間、音声出力が途切れることが原因である。
【０３４７】
これを解決するために３種類のセル(A_C、SI_C、SPCT_C) を定義し、その配置順番の限定、およびオーディオギャップ時間( オーディオストリーム転送が中断する時間) の定義を行った。
【０３４８】
このような概念の導入により, コンテンツ制作者は音切れ時間を、積極的に管理設定することができ, 例えば音切れありのトラックと音切れなしのトラックがが混在する場合に, 音切れなしのトラックの冒頭にサイレントセルを配置することによって, 音無しの時間をいずれのトラックにおいても画一化することができ、音切れあり/ なしの混在によりユーザーが不自然さを感じないようにすることができる。
【０３４９】
さらにこの発明では、再生装置に対して種々の再生動作を行わせるのに、その動作を円滑かつ自然にするために、次に述べるような時間情報とその管理情報の概念が取り込まれている。
【０３５０】
今、再生装置の再生動作と時間情報の関係について考えると、としては以下のような種類が挙げられる。
【０３５１】
ユーザが再生装置に再生動作を実行させる時に必要な時間情報として、
[K-1] ひとつのトラック（Track ）全体の再生時間
[K-2] ひとつのタイトルグループ（TT_GR ）全体の再生時間
[K-3] 今聞いているポイント（point ）の, トラック（Track ）先頭からの再生経過時間
[K-4] 今聞いているポイント（point ）の, タイトルグループ（TT_GR ）先頭からの再生経過時間
[K-5] 今聞いているポイント（point ）の, 属するトラック（Track ）としての再生残量時間
[K-6] 今聞いているポイント（point ）の, タイトルグループ（TT_GR ）全体の再生残量時間
[K-7] あるトラック（Track ）の先頭のポイント（point ）の, タイトルグループ（TT_GR ）先頭からの再生時間
次に、再生装置がユーザから指定されたジャンプ先ポイントを探すために必要な時間と、アドレス（address ）とのの対応情報として、
[K-8]   トラック（Track ）の先頭からの再生経過時間を指定された時, そのポイント（point ）のアドレス
[K-9]   タイトルグループ（TT_GR ）の先頭からの再生経過時間を指定された時, そのポイント（point ）のアドレス
等がある。
【０３５２】
「解決策」
上記の時間情報やアドレスを認識させるために利用する管理情報として、    ＤＶＤオーディオにおいては以下のような, 再生時間およびアドレスの管理データを付加する。
【０３５３】
即ち、図４１及び図４２に示すように、先に説明した管理データに加えて、以下の項目［L-１］乃至［L-９］に述べるような管理データを備えている。
【０３５４】
即ち、
[L-1]   ATS_PGC_PB_TM in ATS_PGC_GI ：オーディオタイトルセットプログラムチェーン一般情報の中に記述されているオーディオタイトルセットプログラムチェーン再生時間という情報である。
【０３５５】
この情報、即ち、ATS_PGC Playback time(ATS_PGC_PB_TM)の内容は、そのATS_PGC に属する全てのPGの再生時間の総和(sec) に90k を掛けた値である。90k は、90kHz の意味でシステムクロック周波数である。
【０３５６】
[L-2]   FAC_ST_PTM in ATS_PGI ：オーディオタイトルセットプログラム情報の中に記述されているオーディオタイトルセットプログラムの最初のオーディオセルの再生開始時間という情報である。
【０３５７】
この情報、即ち、Start Presentation time of the first Audio-Cell in ATS_PG(FAC_ST_PTM)の内容は、そのATS_PGに属する最初のAudio Cellの最初の  audio packetのPTS 値の例えば下位32bit の値である。
【０３５８】
[L-3]   ATS_PG_PB_TM in ATS_PGI ：オーディオタイトルセットプログラム情報の中に記述されているオーディオタイトルセットプログラム再生時間という情報である。
【０３５９】
この情報、即ち、ATS_PG Playback time(ATS_PG_PB_TM)の内容は、そのATS_PGに属する全てのCellの再生時間の総和(sec) に90k を掛けた値である。
【０３６０】
[L-4]   ATS_PG_PA_TM in ATS_PGI ：オーディオタイトルセットプログラム情報の中に記述されているオーディオタイトルセットポーズ時間という情報である。
【０３６１】
この情報、即ち、ATS_PG Pause time(ATS_PG_PA_TM) は、そのATS_PGの冒頭に存在する再生ポーズ時間, すなわちAudio Gap 長とSilent Cell の再生時間の和(sec) に90k を掛けた値である。
【０３６２】
[L-5]   ATS_PG_EN_CN in ATS_PGI ：オーディオタイトルセットプログラム情報の中に記述されているオーディオタイトルセットプログラムのエントリーセル番号という情報である。
【０３６３】
この情報、即ち、 Entry Cell number of ATS_PG(ATS_PG_EN_CN)の内容は、そのATS_PGを構成するセル（Cell）のうち,1番目のセルのオーディオタイトルセットセル（ATS_C ）番号である。
【０３６４】
[L-6]   ATS_C_IXN in ATS_C_PBI：オーディオタイトルセットセル再生情報の中に記述されるオーディオタイトルセットセルインデックス番号という情報である。
【０３６５】
この情報、即ち、Index number of ATS_C(ATS_C_IXN)の内容は、そのオーディオタイトルセットセル（ATS_C ）がサイレントセル（Silent Cell ）またはスチルピクチャセル（Still picture Cell）ならば'00h' 、オーディオ（Audio Cell）ならばそのATS_C のインデックス（Index ）番号の値を表す情報である。そして、１つののオーディオタイトルセットプログラム（ATS_PG）中の１番目のオーディオセル（Audio Cell）のIndex 番号は'1' である。
【０３６６】
[L-7]   ATS_C_TY in ATS_C_PBI ：オーディオタイトルセットセル再生情報の中に記述されるオーディオタイトルセットセルタイプという情報である。
【０３６７】
この情報、即ち、ATS_C type(ATS_C_TY)の内容は、そのATS_C がAudio Cellなのか,Silent Cellなのか,Still picture Cell なのかの区別を示す情報である。  [L-8]   ATS_C_SA in ATS_C_PBI ：オーディオタイトルセットセル再生情報の中に記述されるオーディオタイトルセットセルスタートアドレスという情報である。
【０３６８】
この情報、即ちStart address of ATS_C(ATS_C_SA)の内容は、そのATS_C が属するAOTT_AOBS の1 番目の論理ブロックから, そのATS_C の先頭のaddress までの相対論理ブロック番号の値である。
【０３６９】
[L-9]   ATS_C_EA in ATS_C_PBI ：オーディオタイトルセットセル再生情報の中に記述されるオーディオタイトルセットセルエンドアドレスという情報である。
【０３７０】
この情報、即ち、End address of ATS_C(ATS_C_EA)の内容は、そのATS_C が属するAOTT_AOBS の1 番目の論理ブロックから, そのATS_C の末尾のアドレス    （address ）までの相対論理ブロック番号の値である。
【０３７１】
［具体的な利用方法］
上記の項目[L-1] 〜[L-9] で定義した情報を基に, 項目[K-1] 〜[K-7] には必要な時間情報を計算する手順を下記に示す。
【０３７２】
この項目[K-1] 〜[K-7] は、図４２にその区間を示している。
【０３７３】
１つのトラック全体の再生経過時間（例：図４２のトラック＃２）は、
[K-1]   =   ([L-3]-[L-4])/90k で認識できる。
【０３７４】
１つのタイトルグループ全体の再生時間（例：図４２のトラック＃１、      ＃２、＃３）は、
[K-2]   =   [L-1]/90k で認識できる。
【０３７５】
今聞いている、つまり現在デコードされて出力されているポイントのトラックの先頭からの再生時間は、
[K-3]=((lower 32bits of PTS of the indicated packet)-[L-2])/90k で認識できる。
【０３７６】
今聞いているポイントのタイトルグループの先頭からの再生時間は、
[K-4]=｛((Sum of ATS_PG_PB_TMs of all previous ATS_PGs in the ATS_PGC)+[L-4]) /90k｝ +[K-3] で認識できる。
【０３７７】
Sum of ATS_PG_PB_TMs of all previous ATS_PGs in the ATS_PGCは、オーディオタイトルセットプログラムチェーン内におけるすべての先行するオーディオタイトルセットプルグラムのオーディオタイトルセットプログラム再生時間の合計値である。
【０３７８】
今聞いているポイントの属するトラックとしての再生残量時間は、
[K-5]=[K-1]-[K-3] で認識できる。
【０３７９】
今聞いてきるポイントのタイトルグループ全体の再生残量時間は、
[K-6]=[K-2]-[K-4] で認識できる。
【０３８０】
あるトラックの先頭のポイントのタイトルグループ先頭からの再生時間は、
[K-7]=((Sum of ATS_PG_PB_TMs of all previous ATS_PGs in the ATS_PGC)+[L-4]) /90kで認識できる。
【０３８１】
Sum of ATS_PG_PB_TMs of all previous ATS_PGs in the ATS_PGC は、オーディオタイトルセットプログラムチェーンにおけるすべての先行するオーディオタイトルセットプログラムのオーディオタイトルセット再生時間の合計値を意味する。
【０３８２】
次に, 上記[L-1] 〜[L-9] で定義した情報を基に,[K-8]〜[K-9] のアドレス情報を計算する方法を下記に示す。
【０３８３】
トラック（Track ）の先頭から再生経過時間を指定されたときそのポイントのアドレス[K-8] は次のようになる。
【０３８４】
まず、ＤＶＤオーディオのオーディオストリーム（Audio stream）は固定レートであるから,[K-8]の時間に相当する相対アドレス値が求められる。
【０３８５】
次に、[L-5],[L-6],[L-7],[L-8] から, そのATS_PGの先頭のAudio Cellの開始アドレス(ATS_C_SA)を求める。
【０３８６】
これにより、[K-8]=([K-8]の時間に相当する相対アドレス値)+( 先頭のCellのATS_C_SA) を求めれば目的のアドレス情報を得られる。
【０３８７】
タイトルグループ(TT_GR) の先頭から再生経過時間を指定されたとき、そのポイントのアドレス[K-9] は、次のようになる。
【０３８８】
まず、[L-3] からそのTT_GR に属する各ATS_PGの再生時間がわかる。
【０３８９】
[ Ｌ-9]*90k の関係を用いると, 指定された時間ポイントがどのATS_PG中のポイントであるかがわかる。
【０３９０】
次に[ Ｌ-9]-[ Ｌ-7] で, 指定された時間ポイントの, 属するATS_PGの先頭からの時間がわかる。後の手順は[K-8} と同じである。
【０３９１】
即ち、ＤＶＤオーディオのオーディオストリーム（Audio stream）は固定レートであるから, 指定されたポイントの時間に相当する相対アドレス値が求められる。
【０３９２】
次に、[L-5],[L-6],[L-7],[L-8] から, そのATS_PGの先頭のAudio Cellの開始アドレス(ATS_C_SA)を求める。
【０３９３】
これにより、[K-9]=( 指定ポイントの時間に相当する相対アドレス値)+( 先頭のCellのATS_C_SA) を求めることができる。
【０３９４】
再生装置は、ユーザに対し, 上記方法を用いて[K-1] 〜[K-7] の再生時間情報を提示することができる。また, ユーザが再生装置に対して[K-8] 〜[K-9] のj ジャンプ時間の指示を出すと, 再生装置は上記方法を用いてジャンプ先のアドレスを計算し, ジャンプ動作を実行することができる。
【０３９５】
上記のようにこの方式では、上記の情報をＤＶＤオーディオに付加することにより、再生装置およびその使用者は, 様々な種類の再生動作を行うのに十分な時間情報を得ることができる。
【０３９６】
図４３には、上記したＤＶＤオーディオディスクを再生する再生装置を示している。この再生装置は、オーディオデータのみを再生する装置であるために、図２９に示した装置に比べてビデオデータ及び副映像データを処理する系統が存在しない。この装置では、先に説明したスチルピクチャセルが記録されているディスクを再生した場合、そのセルタイプを判定した後は、そのスチルピクチャセルのデータ期間を無視するだけである。つまりシステムプロセサ部５４は、スチルピクチャセルのデータが到来してもそのデータのパックをオーディオデコーダ部６０ヘ転送することはない。サイレントセルのデータが到来したときは、オーディオデータとしてオーディオデコーダ部６０へ転送する。他の部分は、図２９に示した装置と略同様である。
【０３９７】
上記の実施の形態では、スチルピクチャセルを完全に無視するとしたが、スチルピクチャセルを構成するパックのみを分離導出する端子５４−１をシステムプロセッサ部５４に設けてもよい。このように構成した場合、例えば自宅においてオーディオディスクを再生し、スチルピクチャを、ＤＶＤ再生装置のデコーダ入力端子に供給するようにすることで、スチルピクチャを有するディスクを購入しても無だなく活用することができる。またオーディオ出力端子を増設してもよいことは勿論である。
【０３９８】
この再生装置の場合、リアルタイム情報がディスクに記録されていた場合は、そのデータをシステム制御部５０、あるは別途設けられる復調部で復調し、パネル表示部４Ｂに表示することができる。この場合パネル表示部４Ｂはたとえば液晶などの画面を有するものが好ましい。キー入力部４としては、テンキーなどの各種のキーが設けられている。
【０３９９】
いずれのタイプのディスク再生装置もセルタイプを識別できる機能を備えなければならない。
【０４００】
図４４には、スチルピクチャがディスクに記録された場合にこれを再生することができる再生装置を示している。この再生装置は、スチルピクチャのデータがディスクに記録されているときは、そのデータを再生してモニタ６に表示することができる。他のタイプのディスクを再生するときは、図４３の装置と同様な動作を得る。
【０４０１】
なお上記の説明では、記録媒体とディスク再生装置の関係で説明したが、上述したような定義の成されているオーディオ用のデータを伝送装置で伝送し、受信装置で受信して再生するようにすることも本発明の範疇であることは当然のことである。また上記のようなオーディオ用のデータを受信処理できる機能を実現するための制御データを予め前記受信装置に伝送し、その後、上述した定義のオーディオ情報を伝送又は記録媒体から読み取り再生することも本発明の範疇である。また、上記のようなオーディオ用のデータを受信あるいは処理できる機能を実現するための制御データを記録した光ディスク、或いは磁気ディスク等で予め融通性のあるパーソナルコンピュータにインストールし、その後、上述した定義のオーディオ用のデータを受信して処理又は記録媒体から読み取り再生処理することも本発明の範疇である。
【０４０２】
【発明の効果】
上記のようにこの発明は、再生装置およびその使用者は, 様々な種類の再生動作を行うのに十分な時間情報及び管理情報を得ることができ、再生装置の使い勝手を向上することができる。
【図面の簡単な説明】
【図１】ＤＶＤオーディオの記録媒体として利用可能な光ディスクの構造を説明する斜視図。
【図２】図１の光ディスクのデータ記録エリアとそこに記録されるデータの記録トラックとの対応関係を説明する図。
【図３】図２の光ディスクに記録される種々な情報のうち、ＤＶＤオーディオゾーンに記録される情報の階層構造を説明する図。
【図４】図２の光ディスクに記録される種々な情報のうち、ＤＶＤビデオゾーンに記録される情報の階層構造を説明する図。
【図５】図３のＤＶＤオーディオゾーンのプログラムチェーン情報（ＡＴＳ＿ＰＧＣＩ）および図４のＤＶＤビデオゾーンのプログラムチェーン情報（ＶＴＳ＿ＰＧＣＩ）の双方から共通にアクセスされるビデオ情報（ＶＴＳ＿Ｃ＃２など）の一例を説明する図。
【図６】図３のＤＶＤオーディオゾーンの記録内容（ＡＯＴＴ＿ＡＯＢＳ）のデータ構造の一例を説明する図。
【図７】図３のＤＶＤオーディオゾーンの記録内容（ＡＯＴＴ＿ＡＯＢＳ）のデータ構造の他の例を説明する図。
【図８】図４のＤＶＤビデオゾーンの記録内容（ＶＴＳＴＴ＿ＶＯＢＳ）のデータ構造の一例を説明する図。
【図９】ユーザアクセス可能なＤＶＤオーディオの記録内容であって、図１の光ディスクの片面に記録されるデータ構造の一例を説明する図。
【図１０】図１の光ディスクに記録される情報（ＤＶＤオーディオおよびＤＶＤビデオのデータファイル）のディレクトリ構造の一例を説明する図。
【図１１】図１の光ディスクに記録される情報（ＤＶＤオーディオおよびＤＶＤビデオのデータファイル）のディレクトリ構造の他の例を説明する図。
【図１２】図１０のディレクトリ構造において、オーディオコンテンツ側のディレクトリからビデオコンテンツ側のディレクトリ内のファイルにアクセスする場合を説明する図。
【図１３】図１０のディレクトリ構造において、オーディオコンテンツ側のディレクトリ内のファイルがビデオコンテンツ側のディレクトリ内のファイルにリンクする場合を説明する図。
【図１４】図１２のファイルアクセスが図３および図４のボリュームスペース内においてどのように行われるかの一例を説明する図。
【図１５】図１２のファイルアクセスが図３および図４のボリュームスペース内においてどのように行われるかの他の例を説明する図。
【図１６】図１２のファイルアクセスが図３および図４のボリュームスペース内においてどのように行われるかの、さらに他の例を説明する図。
【図１７】図３のＤＶＤオーディオゾーン内のオーディオマネージャ情報（ＡＭＧＩ）の記録内容を説明する図。
【図１８】図１７のオーディオマネージャ情報（ＡＭＧＩ）に含まれるオーディオマネージャ情報管理テーブル（ＡＭＧＩ＿ＭＡＴ）の記録内容を説明する図。
【図１９】図１７のオーディオマネージャ情報（ＡＭＧＩ）に含まれるオーディオタイトルのサーチポインタテーブル（ＡＴＴ＿ＳＲＰＴ）の内容を説明する図。
【図２０】図１９のオーディオタイトルのサーチポインタテーブル（ＡＴＴ＿ＳＲＰＴ）に含まれるオーディオタイトルサーチポインタ（ＡＴＴ＿ＳＲＰ）の内容を説明する図。
【図２１】図１７のオーディオマネージャ情報（ＡＭＧＩ）に含まれるオーディオ・オンリータイトルのサーチポインタテーブル（ＡＯＴＴ＿ＳＲＰＴ）の内容を説明する図。
【図２２】図２１のオーディオ・オンリータイトルのサーチポインタテーブル（ＡＯＴＴ＿ＳＲＰＴ）に含まれるオーディオ・オンリータイトルサーチポインタ（ＡＯＴＴ＿ＳＲＰ）の内容を説明する図。
【図２３】図１７のオーディオマネージャ情報（ＡＭＧＩ）内のオーディオ・オンリータイトルサーチポインタ（ＡＯＴＴ＿ＳＲＰ）でアクセスされるオーディオ・オンリータイトルのグループ（ＡＯＴＴ＿ＧＲ）と、このオーディオマネージャ情報（ＡＭＧＩ）内のオーディオタイトルサーチポインタ（ＡＴＴ＿ＳＲＰ）でアクセスされるオーディオタイトルのグループ（ＡＴＴ＿ＧＲ）との関係を説明する図。
【図２４】図３のＤＶＤオーディオゾーン内のオーディオタイトルセット（ＡＴＳ）の記録内容を説明する図。
【図２５】図２４のオーディオタイトルセット情報（ＡＴＳＩ）に含まれるオーディオタイトルセット情報管理テーブル（ＡＴＳＩ＿ＭＡＴ）の記録内容を説明する図。
【図２６】図２４のオーディオタイトルセット情報（ＡＴＳＩ）に含まれるオーディオタイトルセットプログラムチェーン情報テーブル（ＡＴＳ＿ＰＧＣＩＴ）の内容を説明する図。
【図２７】図２６のオーディオタイトルセットプログラム情報（ＡＴＳ＿ＰＧＩ）の内容を説明する図。
【図２８】図２６のオーディオタイトルセットセル再生情報（ＡＴＳ＿Ｃ＿ＰＢＩ）の内容を説明する図。
【図２９】図１の光ディスクから図３のオーディオゾーンの記録情報あるいは図４のビデオゾーンの記録情報を再生する装置の一例を示すブロック図。
【図３０】図２９の再生装置のフロントパネルの一例を示す図。
【図３１】この発明の要部となるオーディオデータのセルの種類を示す説明図。
【図３２】オーディオタイトルセットプログラムの種類とそのデータ配置構造を示す説明図。
【図３３】オーディオ  オンリータイトルのオーディオのみのデータのパック列の例を示す説明図。
【図３４】オーディオ  オンリータイトルのオーディオとリアルタイムデータが存在するときのパック列の列を示す図。
【図３５】オーディオ  オンリータイトルのオーディオセルとサイレントセルが存在するときのパック列の例を示す図。
【図３６】オーディオ  オンリータイトルのオーディオセル、スチルピクチャセル及びサイレントセルが存在するときのパック列の例を示す図。
【図３７】前後のプログラムが同じ属性でオーディオセルのみからなるパック列と、その再生順序に伴うプレゼンテーションタイムスタンプの変化及び再生時間の変化を示す図。
【図３８】前後のプログラムが異なる属性でオーディオセルのみからなるパック列と、その再生順序に伴うプレゼンテーションタイムスタンプの変化及び再生時間の変化を示す図。
【図３９】スチルピクチャセルを有し前後のプログラムが同じ属性のオーディオセルからなるパック列と、その再生順序に伴うプレゼンテーションタイムスタンプの変化及び再生時間の変化を示す図。
【図４０】スチルピクチャセルを有し、例えば前後のプログラムが異なる属性のオーディオセルからなるパック列と、その再生順序に伴うプレゼンテーションタイムスタンプの変化及び再生時間の変化を示す図。
【図４１】本発明に係るディスクのオーディオゾーンにおいてセルのタイプ、各種時間情報等が記述されている階層までを示す説明図。
【図４２】本発明に係るデータ構造における管理情報を用いる方法のいくつかの例を説明するために示したデータ配列説明図。
【図４３】本発明に係るディスク再生装置の他の例を示す図。
【図４４】本発明に係るディスク再生装置のさらに他の例を示す図。
【符号の説明】
４…キー入力部、４Ａ…リモートコントローラ受信部、４Ｂ…パネル表示部（蛍光管表示器など）、５…リモートコントローラ、６…モニタ部、８Ｌ，８Ｒ…スピーカ、３０…ディスクドライブ部、５０…制御部、５００…マイクロプロセシングユニットＭＰＵ（またはセントラルプロセシングユニットＣＰＵ）、５０２…リードオンリーメモリＲＯＭ（制御プログラム等の格納）、５２…ランダムアクセスメモリＲＡＭ（制御部５０のワークメモリ）、５３…メモリインターフェイス、５４…システムプロセサ部、５８…ビデオデコーダ部、６０…オーディオデコーダ部、６２…副映像デコーダ部、６４…デジタル／アナログ変換および再生処理部、６４０…ビデオプロセサ部（オンスクリーン表示ＯＳＤ部を含む）、６４２…フレームメモリ部、６４４…デジタル／アナログ変換器および出力回路、７０…ボリュームおよびファイル構造エリア、７１…ＤＶＤオーディオゾーン、７１１…オーディオマネージャＡＭＧ、７１２…オーディオタイトルセットＡＴＳ、７１１０…オーディオマネージャ情報ファイルＡＭＧＩ、７１１１…オーディオマネージャメニュー用ビデオオブジェクトセットファイルＡＭＧＭ＿ＶＯＢＳ、７１１２…ＡＭＧＩのバックアップファイルＡＭＧＩ＿ＢＵＰ、７１２０…オーディオタイトルセット情報ファイルＡＴＳＩ、７１２１…オーディオ・オンリータイトルのオーディオオブジェクトセットＡＯＴＴ＿ＡＯＢＳ、７１２３…ＡＴＳＩのバックアップファイルＡＴＳＩ＿ＢＵＰ、７２…ＤＶＤビデオゾーン、７３…他の記録エリア。
【図１】
0003947083.tif 000002
【図２】
0003947083.tif 000003
【図３】
0003947083.tif 000004
【図４】
0003947083.tif 000005
【図５】
0003947083.tif 000006
【図６】
0003947083.tif 000007
【図７】
0003947083.tif 000008
【図８】
0003947083.tif 000009
【図９】
0003947083.tif 000010
【図１０】
0003947083.tif 000011
【図１１】
0003947083.tif 000012
【図１２】
0003947083.tif 000013
【図１３】
0003947083.tif 000014
【図１４】
0003947083.tif 000015
【図１５】
0003947083.tif 000016
【図１６】
0003947083.tif 000017
【図１７】
0003947083.tif 000018
【図１８】
0003947083.tif 000019
【図１９】
0003947083.tif 000020
【図２０】
0003947083.tif 000021
【図２１】
0003947083.tif 000022
【図２２】
0003947083.tif 000023
【図２３】
0003947083.tif 000024
【図２４】
0003947083.tif 000025
【図２５】
0003947083.tif 000026
【図２６】
0003947083.tif 000027
【図２７】
0003947083.tif 000028
【図２８】
0003947083.tif 000029
【図２９】
0003947083.tif 000030
【図３０】
0003947083.tif 000031
【図３１】
0003947083.tif 000032
【図３２】
0003947083.tif 000033
【図３３】
0003947083.tif 000034
【図３４】
0003947083.tif 000035
【図３５】
0003947083.tif 000036
【図３６】
0003947083.tif 000037
【図３７】
0003947083.tif 000038
【図３８】
0003947083.tif 000039
【図３９】
0003947083.tif 000040
【図４０】
0003947083.tif 000041
【図４１】
0003947083.tif 000042
【図４２】
0003947083.tif 000043
【図４３】
0003947083.tif 000044
【図４４】
0003947083.tif 000045